(57)【要約】【課題】硬貨カセット内への異物の混入を抑制することができると共に、硬貨カセットのセキュリティ性を向上することができる硬貨処理装置を提供する。【解決手段】カセット収納部３１１を有し、カセット収納部３１１に設けられた収納部側開口部３２５ａ〜３２５ｆを介して硬貨を放出する装置本体４１と、カセット側開口部を有し、カセット収納部３１１に対し着脱可能であってカセット収納部３１１にセットされた状態で装置本体４１から収納部側開口部３２５ａ〜３２５ｆを介して放出される硬貨をカセット側開口部を介して受け入れて収納する硬貨カセット７１ａ〜７１ｆとを備え、カセット収納部３１１が、収納部側開口部３２５ａ〜３２５ｆを開閉する収納部側開閉体３３１を有する。【選択図】図９
2018081355.tif 000002
【特許請求の範囲】
【請求項１】
カセット収納部を有し、該カセット収納部に設けられた収納部側開口部を介して硬貨を放出する装置本体と、
カセット側開口部を有し、前記カセット収納部に対し着脱可能であって該カセット収納部にセットされた状態で前記装置本体から前記収納部側開口部を介して放出される硬貨を前記カセット側開口部を介して受け入れて収納する硬貨カセットとを備え、
前記カセット収納部は、前記収納部側開口部を開閉する収納部側開閉体を有することを特徴とする硬貨処理装置。
【請求項２】
前記カセット収納部は、前記装置本体のベース筐体から引き出し可能であり、該ベース筐体に押し込まれた状態にあるとき、前記収納部側開閉体が前記収納部側開口部を開いており、前記ベース筐体から引き出された状態にあるとき、前記収納部側開閉体が前記収納部側開口部を閉じていることを特徴とする請求項１記載の硬貨処理装置。
【請求項３】
前記硬貨カセットは、
前記カセット側開口部を有して硬貨を収納する硬貨収納体と、
前記カセット側開口部を開閉するカセット側開閉体とを有し、
前記カセット収納部は、
セットされた前記硬貨カセットを取り外し不可にロックすると共に前記カセット側開閉体の閉作動でロックが解除されるカセットロック機構を有することを特徴とする請求項１又は２記載の硬貨処理装置。
【請求項４】
前記硬貨カセットは、前記カセット側開閉体の閉作動で該カセット側開閉体を閉状態でロックする開閉体ロック機構を有することを特徴とする請求項３記載の硬貨処理装置。
【発明の詳細な説明】
【技術分野】
【０００１】
本発明は、硬貨の処理を行う硬貨処理装置に関する。
【背景技術】
【０００２】
硬貨の入出金及び包装ができる硬貨処理装置には、入金された硬貨を収納庫又は収納繰出部に収納し、硬貨の出金時に収納繰出部から硬貨を繰り出して出金するものがある（例えば特許文献１参照）。そして、この種の硬貨処理装置において、収納庫内に複数の硬貨カセットが収容され、これらの硬貨カセットに、収納庫の上面に形成された開口部を介して、入金された硬貨が金種別に収納されるものがある。
【先行技術文献】
【特許文献】
【０００３】
【特許文献１】特許第５１３５１０３号公報
【発明の概要】
【発明が解決しようとする課題】
【０００４】
上記の硬貨処理装置では、入金された硬貨が硬貨カセットを収容する収納庫の上面に形成された開口部を介して硬貨カセット内に収納されるようになっているため、収納庫を筐体から引き出した際には、収納庫の上面に形成された開口部を介して外部と硬貨カセット内とが連通し、硬貨カセット内に異物が侵入するおそれがある。加えて、開口部が開口しているため、現金違算の発生等、セキュリティの面での課題もある。
【０００５】
本発明は、このような事情を鑑みてなされたものであり、硬貨カセット内への異物の混入を抑制することができると共に、硬貨カセットのセキュリティ性を向上することができる硬貨処理装置を提供する。
【課題を解決するための手段】
【０００６】
上記目的を達成するために、本発明に係る第１の態様は、カセット収納部を有し、該カセット収納部に設けられた収納部側開口部を介して硬貨を放出する装置本体と、カセット側開口部を有し、前記カセット収納部に対し着脱可能であって該カセット収納部にセットされた状態で前記装置本体から前記収納部側開口部を介して放出される硬貨を前記カセット側開口部を介して受け入れて収納する硬貨カセットとを備え、前記カセット収納部は、前記収納部側開口部を開閉する収納部側開閉体を有することを特徴とする。
【０００７】
上記第１の態様によれば、硬貨カセットが、装置本体のカセット収納部にセットされた状態で、装置本体からカセット収納部に設けられた収納部側開口部を介して放出される硬貨を、カセット側開口部を介して受け入れて収納することになるが、カセット収納部は、収納部側開口部を開閉する収納部側開閉体を有している。このため、収納部側開閉体で収納部側開口部を閉塞することができる。これにより、硬貨カセット内への異物の混入を抑制することができると共に、硬貨カセットのセキュリティ性を向上することができる。
【０００８】
本発明に係る第２の態様は、上記第１の態様において、前記カセット収納部は、前記装置本体のベース筐体から引き出し可能であり、該ベース筐体に押し込まれた状態にあるとき、前記収納部側開閉体が前記収納部側開口部を開いており、前記ベース筐体から引き出された状態にあるとき、前記収納部側開閉体が前記収納部側開口部を閉じていることを特徴とする。
【０００９】
上記第２の態様によれば、カセット収納部は、ベース筐体に押し込まれた状態にあるとき、収納部側開閉体が収納部側開口部を開いており、ベース筐体から引き出された状態にあるとき、収納部側開閉体が収納部側開口部を閉じているため、硬貨カセット内への異物の混入を更に抑制することができると共に、硬貨カセットのセキュリティ性を更に向上することができる。
【００１０】
本発明に係る第３の態様は、上記第１又は第２の態様において、前記硬貨カセットは、前記カセット側開口部を有して硬貨を収納する硬貨収納体と、前記カセット側開口部を開閉するカセット側開閉体とを有し、前記カセット収納部は、セットされた前記硬貨カセットを取り外し不可にロックすると共に前記カセット側開閉体の閉作動でロックが解除されるカセットロック機構を有することを特徴とする。
【００１１】
上記第３の態様によれば、硬貨カセットが、そのカセット側開口部をカセット側開閉体で閉じることができるため、硬貨カセット内への異物の混入を更に抑制することができると共に、硬貨カセットのセキュリティ性を更に向上することができる。しかも、カセット収納部に硬貨カセットをロックするカセットロック機構は、カセット側開閉体の閉作動でロックが解除されるため、硬貨カセットのカセット収納部からの取り出し時には、カセット側開閉体が閉じられていることになり、よって、硬貨カセット内への異物の混入を更に抑制することができると共に、硬貨カセットのセキュリティ性を更に向上することができる。
【００１２】
本発明に係る第４の態様は、上記第３の態様において、前記硬貨カセットは、前記カセット側開閉体の閉作動で該カセット側開閉体を閉状態でロックする開閉体ロック機構を有することを特徴とする。
【００１３】
上記第４の態様によれば、硬貨カセットは、開閉体ロック機構がカセット側開閉体の閉作動で該カセット側開閉体を閉状態でロックするため、硬貨カセットのカセット収納部からの取り出し時には、カセット側開閉体が閉じられた閉状態でロックされていることになり、よって、硬貨カセット内への異物の混入を更に抑制することができると共に、硬貨カセットのセキュリティ性を更に向上することができる。
【発明の効果】
【００１４】
本発明によれば、硬貨カセット内への異物の混入を抑制することができると共に、硬貨カセットのセキュリティ性を向上することができる硬貨処理装置を提供することができる。
【図面の簡単な説明】
【００１５】
【図１】本発明の一実施形態に係る硬貨処理装置の構成を概略的に示す正面図である。
【図２】本発明の一実施形態に係る硬貨処理装置の正面図である。
【図３】本発明の一実施形態に係る硬貨処理装置の要部の斜視図であって、入金貯留部本体及び底板が共に装填位置にある状態を示すものである。
【図４】本発明の一実施形態に係る硬貨処理装置の要部の斜視図であって、入金貯留部本体及び底板が共に装填位置にある状態を示すものである。
【図５】本発明の一実施形態に係る硬貨処理装置の要部の斜視図であって、入金貯留部本体が収納位置にあり、底板が装填位置にある状態を示すものである。
【図６】本発明の一実施形態に係る硬貨処理装置の要部の斜視図であって、入金貯留部本体が返却位置にあり、底板が収納位置にある状態を示すものである。
【図７】本発明の一実施形態に係る硬貨処理装置の要部の斜視図であって、入金貯留部本体が装填位置にあり、底板が収納位置にある状態を示すものである。
【図８】本発明の一実施形態に係る硬貨処理装置の斜視図である。
【図９】本発明の一実施形態に係る硬貨処理装置のベース筐体から引き出された状態にある収納引出部を示す部分斜視図である。
【図１０】本発明の一実施形態に係る硬貨処理装置の収納引出部から収納カセットが引き出された状態を示す部分斜視図である。
【図１１】本発明の一実施形態に係る硬貨処理装置の収納カセットの分解斜視図である。
【図１２】本発明の一実施形態に係る硬貨処理装置の収納カセットの開放状態を示す斜視図である。
【図１３】本発明の一実施形態に係る硬貨処理装置の収納引出部及び開放状態にある収納カセットを示す断面図である。
【図１４】本発明の一実施形態に係る硬貨処理装置の収納引出部及び開閉途中の状態にある収納カセットを示す断面図である。
【図１５】本発明の一実施形態に係る硬貨処理装置の収納引出部及び閉塞状態にある収納カセットを示す断面図である。
【図１６】本発明の一実施形態に係る硬貨処理装置の収納カセットの閉塞状態を示す斜視図である。
【発明を実施するための形態】
【００１６】
本発明の一実施形態に係る硬貨処理装置を図面を参照して以下に説明する。以下の説明における「前」は硬貨処理装置の操作者側、「後」は硬貨処理装置の操作者とは反対側、「左」は硬貨処理装置の操作者から見て左、「右」は硬貨処理装置の操作者から見て右である。
【００１７】
本実施形態に係る硬貨処理装置１０は、図１に示すように、バラの硬貨（以下、硬貨と称す）に関する処理を行う硬貨処理部１１と、棒金（包装硬貨）に関する処理を行う棒金処理部１２とを有している。硬貨処理部１１には、硬貨処理装置１０の全体を制御する制御部１４１と、硬貨処理装置１０に電源を供給する電源部１４２とが設けられている。
【００１８】
［硬貨処理部１１］
硬貨処理部１１は、図１に示すように、外部から入金された硬貨の入金処理を行う硬貨入金部２１と、硬貨入金部２１から硬貨を受け入れて収納する収納処理を行うと共に収納している硬貨を外部に取り出し可能に出金する硬貨収納出金部２２とを有している。
【００１９】
硬貨入金部２１は、外部から硬貨が投入されると共に投入された硬貨を一枚ずつ分離して繰り出す入金ホッパ３１と、入金ホッパ３１から繰り出された硬貨を搬送しつつ入金識別計数部３２で真偽、金種及び正損を識別して計数する入金搬送部３３と、入金識別計数部３２で偽つまり受け入れ不可と識別された硬貨を入金搬送部３３から落下案内する開閉式の入金リジェクト案内部３４と、入金リジェクト案内部３４で入金搬送部３３から案内された硬貨を収納する入金リジェクト部３５とを有している。
【００２０】
入金リジェクト部３５は、箱状であって、図２に示す硬貨処理装置１０の装置本体４１の上部ユニット４２から前方に引き出されて上部ユニット４２から取り外される。ここで、上部ユニット４２は、装置本体４１の建屋フロアに設置されるベース筐体４３に対し前方に引き出し可能に連結されている。入金リジェクト部３５は、ベース筐体４３に対し押し込まれた上部ユニット４２に装填された状態で、図１に示す入金リジェクト案内部３４で案内された硬貨を収納し、上部ユニット４２から取り外されることで、収納した硬貨が外部に取り出し可能となる。
【００２１】
硬貨入金部２１は、入金識別計数部３２で真つまり受け入れ可能と識別された硬貨を入金搬送部３３から落下案内する開閉式の包装案内部５５を有している。包装案内部５５で案内された硬貨は棒金処理部１２に搬送される。ここで、入金ホッパ３１に投入された硬貨の中から、設定金種の硬貨を包装して棒金とするローカル包装処理時に、包装案内部５５が、入金識別計数部３２の識別結果に基づいて、設定金種の硬貨を棒金処理部１２に案内し、設定金種以外の硬貨を入金リジェクト案内部３４が入金リジェクト部３５に案内する。棒金処理部１２は、硬貨処理部１１から送り込まれた硬貨を所定の包装単位枚数（例えば５０枚）ずつ集積させて包装する。
【００２２】
硬貨入金部２１は、入金識別計数部３２で受け入れ可能と識別された硬貨を入金搬送部３３から落下案内する貯留案内部６１と、貯留案内部６１で入金搬送部３３から案内された硬貨を一時貯留する入金貯留部６２（振分部）とを有している。図３に示すように、入金貯留部６２は、単一金種の硬貨を貯留する金種別の貯留区分部６３ａ〜６３ｆと、汚損硬貨を金種混合で貯留する汚損硬貨用の貯留区分部６３ｇとを有している。
【００２３】
図１に示す貯留案内部６１は、入金搬送部３３の前後方向に沿う直線状の部分に設けられており、最も包装案内部５５側の部分が開閉式で全金種の汚損硬貨を入金搬送部３３から落下させて入金貯留部６２に案内することになり、その包装案内部５５とは反対側の部分が常時開の選別孔式であって汚損のない正常硬貨を小径のものから順に入金搬送部３３から落下させて入金貯留部６２に案内する。
【００２４】
貯留案内部６１の上記の振り分けの順番に合わせて、入金貯留部６２は、図３に示すように、汚損硬貨を貯留する貯留区分部６３ｇ、１円の正常硬貨を貯留する貯留区分部６３ａ、５０円の正常硬貨を貯留する貯留区分部６３ｂ、５円の正常硬貨を貯留する貯留区分部６３ｃ、１００円の正常硬貨を貯留する貯留区分部６３ｄ、１０円の正常硬貨を貯留する貯留区分部６３ｅ、５００円の正常硬貨を貯留する貯留区分部６３ｆが、前側から後側に向けて、この順に直線状に並べられている。
【００２５】
入金貯留部６２は、貯留区分部６３ａ〜６３ｇの側壁部分を形成する一体の入金貯留部本体６４と、貯留区分部６３ａ〜６３ｇの底部分を形成する底板６５と、入金貯留部本体６４を水平移動させる図示略の本体駆動部と、底板６５を水平移動させる図示略の底板駆動部と、図４に示すように、入金貯留部本体６４と底板６５との位置ズレを防止するロック機構５０１とを有している。入金貯留部６２は、図１に示す貯留案内部６１の鉛直下方が装填位置であり、図３に示すように、この装填位置に入金貯留部本体６４及び底板６５が位置する状態で、貯留案内部６１で案内された硬貨を貯留区分部６３ａ〜６３ｇに分類して受け入れる。つまり、入金貯留部６２は、入金ホッパ３１に入金された正常硬貨を、金種別の貯留区分部６３ａ〜６３ｆに金種別に分けて貯留すると共に、汚損硬貨を貯留区分部６３ｇに貯留する。
【００２６】
ロック機構５０１は、入金貯留部本体６４に対しその下部開口部を閉塞する位置で底板６５をロックする。ロック機構５０１は、入金貯留部本体６４に取り付けられたソレノイド５０２と、ソレノイド５０２に取り付けられた略Ｌ字状の板部材５０３と、入金貯留部本体６４に固定された検出部５０４と、底板６５に固定された係合部５０５とを有している。ソレノイド５０２は、入金貯留部本体６４に固定されるソレノイドボディ５１０とソレノイドボディ５１０から下方に突出する図示略のプランジャとを有している。板部材５０３は、このプランジャの下端に固定される取付板部５１５と、取付板部５１５から下方に延出する係合板部５１６と、取付板部５１５から係合板部５１６と平行に係合板部５１６よりも短く突出する検出板部５１７とを有している。係合部５０５は、上部に下方に凹む係合凹部５２０を有しており、ソレノイド５０２が板部材５０３を下降させると、板部材５０３の係合板部５１６が係合凹部５２０に係合して、入金貯留部本体６４と底板６５とをロックする。その際に、板部材５０３の検出板部５１７がインタラプタ等の検出部５０４に検出されることで、ロック有りを検出する。ソレノイド５０２が板部材５０３を上昇させると、板部材５０３の係合板部５１６が係合凹部５２０から抜け出して、入金貯留部本体６４と底板６５とのロックを解除する。その際に、板部材５０３の検出板部５１７が検出部５０４に検出されなくなることで、ロック無しを検出する。
【００２７】
硬貨入金部２１は、入金貯留部６２が貯留区分部６３ａ〜６３ｇに分類して貯留している硬貨を収納する硬貨収納部７１を有している。硬貨収納部７１は、図５に示すように、入金貯留部６２がロック機構５０１を解除して底板６５を装填位置に保持した状態のまま入金貯留部本体６４を側方の収納位置に移動させることで貯留区分部６３ａ〜６３ｇから落下する硬貨を、その分類状態のままで収納する。
【００２８】
硬貨収納部７１は、貯留区分部６３ｇから落下する汚損硬貨を収納する図３に示す収納カセット７１ｇ、貯留区分部６３ａから落下する１円の正常硬貨を収納する収納カセット７１ａ（硬貨カセット）、貯留区分部６３ｂから落下する５０円の正常硬貨を収納する収納カセット７１ｂ（硬貨カセット）、貯留区分部６３ｃから落下する５円の正常硬貨を収納する収納カセット７１ｃ（硬貨カセット）、貯留区分部６３ｄから落下する１００円の正常硬貨を収納する収納カセット７１ｄ（硬貨カセット）、貯留区分部６３ｅから落下する１０円の正常硬貨を収納する収納カセット７１ｅ（硬貨カセット）、貯留区分部６３ｆから落下する５００円の正常硬貨を収納する収納カセット７１ｆ（硬貨カセット）が、前側から後側に向けて、この順に直線状に並べられている。
【００２９】
硬貨収納部７１を構成する収納カセット７１ａ〜７１ｇは、それぞれが箱状であって、図２に示す装置本体４１のベース筐体４３に対し前方に引き出し可能となるように連結された収納引出部７２（カセット収納部）に個別に着脱可能に装填されている。収納カセット７１ａ〜７１ｇは、収納引出部７２に装填された後、この収納引出部７２がベース筐体４３に押し込まれると、入金貯留部６２から落下する硬貨を収納可能となる。また、収納カセット７１ａ〜７１ｇは、ベース筐体４３から収納引出部７２が引き出された後、この収納引出部７２から取り外されることで、収納した硬貨が外部に取り出し可能となる。ここで、硬貨収納部７１を構成する収納カセット７１ａ〜７１ｇは、収納引出部７２に装填され、収納引出部７２と共にベース筐体４３に装填された状態、つまり硬貨処理装置１０の内部に装填された状態では、硬貨を繰り出すことはなく硬貨の収納のみを行う。つまり、硬貨収納部７１は硬貨を繰り出し不可に収納する。なお、硬貨収納部７１は、硬貨を金種別に分類せずに、金種混合で一括して収納するものであっても良い。
【００３０】
硬貨入金部２１は、入金貯留部６２が貯留区分部６３ａ〜６３ｇに分類して貯留している硬貨を外部に取り出し可能に返却する硬貨返却部７５を有している。硬貨返却部７５は、図６に示すように、入金貯留部６２が底板６５及び入金貯留部本体６４を収納位置に移動させた後にロック機構５０１を解除して入金貯留部本体６４のみをさらに側方の返却位置に移動させることで貯留区分部６３ａ〜６３ｇから落下する硬貨を、その分類状態のままで収納する。
【００３１】
硬貨返却部７５は、貯留区分部６３ｇから落下する汚損硬貨を収納する図３に示す返却区分部７５ｇ、貯留区分部６３ａから落下する１円の正常硬貨を収納する返却区分部７５ａ、貯留区分部６３ｂから落下する５０円の正常硬貨を収納する返却区分部７５ｂ、貯留区分部６３ｃから落下する５円の正常硬貨を収納する返却区分部７５ｃ、貯留区分部６３ｄから落下する１００円の正常硬貨を収納する返却区分部７５ｄ、貯留区分部６３ｅから落下する１０円の正常硬貨を収納する返却区分部７５ｅ、貯留区分部６３ｆから落下する５００円の正常硬貨を収納する返却区分部７５ｆが、前側から後側に向けて、この順に直線状に並べられている。
【００３２】
硬貨返却部７５は、箱状であって返却区分部７５ａ〜７５ｇが一体に設けられている。硬貨返却部７５は、図２に示すベース筐体４３から前方に引き出されてベース筐体４３から取り外される。硬貨返却部７５は、ベース筐体４３に装填された状態で入金貯留部６２からの硬貨を収納し、ベース筐体４３から取り外されることで、収納した硬貨が外部に取り出し可能となる。ここで、硬貨返却部７５も、ベース筐体４３に装填された状態では硬貨を繰り出すことはなく収納のみを行う。なお、硬貨返却部７５は、硬貨を金種別に分類せずに、金種混合で一括して収納するものであっても良い。
【００３３】
図３に示す硬貨収納出金部２２は、入金貯留部６２が貯留区分部６３ａ〜６３ｆに分類して貯留している硬貨を出金可能に収納する硬貨収納繰出部８１を有している。硬貨収納繰出部８１は、図７に示すように、入金貯留部６２がロック機構５０１を解除して入金貯留部本体６４を装填位置に保持した状態のまま底板６５を側方の収納位置に移動させることで貯留区分部６３ａ〜６３ｆから落下する硬貨を、その分類状態のままで出金可能に収納する。
【００３４】
硬貨収納繰出部８１は、貯留区分部６３ａから落下する１円の正常硬貨を出金可能に収納する出金ホッパ８１ａ（収納区分部）、貯留区分部６３ｂから落下する５０円の正常硬貨を出金可能に収納する出金ホッパ８１ｂ（収納区分部）、貯留区分部６３ｃから落下する５円の正常硬貨を出金可能に収納する出金ホッパ８１ｃ（収納区分部）、貯留区分部６３ｄから落下する１００円の正常硬貨を出金可能に収納する出金ホッパ８１ｄ（収納区分部）、貯留区分部６３ｅから落下する１０円の正常硬貨を出金可能に収納する出金ホッパ８１ｅ（収納区分部）、貯留区分部６３ｆから落下する５００円の正常硬貨を出金可能に収納する出金ホッパ８１ｆ（収納区分部）が、前側から後側に向けて、この順に直線状に並べられている。
【００３５】
よって、硬貨収納繰出部８１は、それぞれが単一金種の硬貨を繰り出し可能に収納する金種別の出金ホッパ８１ａ〜８１ｆを有しており、入金貯留部６２は、入金ホッパ３１に入金されて金種別の貯留区分部６３ａ〜６３ｆに金種別に分けて貯留している硬貨を金種別に分けた状態のまま硬貨収納繰出部８１の金種別の出金ホッパ８１ａ〜８１ｆに収納可能となっている。
【００３６】
出金ホッパ８１ａの出金ホッパ８１ｂとは反対側には、入金貯留部６２が入金貯留部本体６４を装填位置に保持した状態のまま底板６５を側方の収納位置に移動させることで貯留区分部６３ｇから落下する汚損硬貨を収納する汚損カセット８２ｇが設けられており、出金ホッパ８１ｆの出金ホッパ８１ｅとは反対側には精査ホッパ８３ｈが設けられている。
【００３７】
硬貨収納繰出部８１を構成する出金ホッパ８１ａ〜８１ｆと、精査ホッパ８３ｈとは、図２に示す装置本体４１のベース筐体４３に対し前方に引き出し可能となるように連結された出金繰出引出部８５に組み込まれている。出金ホッパ８１ａ〜８１ｆは、出金繰出引出部８５がベース筐体４３に押し込まれると、入金貯留部６２の貯留区分部６３ａ〜６３ｆから落下する硬貨を収納可能となる。
【００３８】
出金ホッパ８１ａは、図７に示すように、収納している硬貨を下部の計数繰出部９１ａで金種を識別せず計数のみを行って繰り出し、出金ホッパ８１ｂは、収納している硬貨を下部の計数繰出部９１ｂで同様に繰り出し、出金ホッパ８１ｃは、収納している硬貨を下部の計数繰出部９１ｃで同様に繰り出し、出金ホッパ８１ｄは、収納している硬貨を下部の計数繰出部９１ｄで同様に繰り出し、出金ホッパ８１ｅは、収納している硬貨を下部の計数繰出部９１ｅで同様に繰り出し、出金ホッパ８１ｆは、収納している硬貨を下部の計数繰出部９１ｆで同様に繰り出す。精査ホッパ８３ｈは、収納している硬貨を下部の識別計数繰出部９３ｈで金種を識別し計数して繰り出す。
【００３９】
出金ホッパ８１ａ〜８１ｆを有する硬貨収納繰出部８１は、硬貨を収納すると共に、収納している硬貨を繰り出す。収納カセット７１ａ〜７１ｆを有する硬貨収納部７１は、硬貨収納繰出部８１とは別に設けられて硬貨を収納する。入金貯留部６２は、硬貨を貯留すると共に貯留している硬貨の収納先を硬貨収納繰出部８１と硬貨収納部７１と硬貨返却部７５とに選択的に切り替える。入金貯留部６２は、収納先を硬貨収納繰出部８１とした場合に、貯留している硬貨を金種別に分けて金種別の出金ホッパ８１ａ〜８１ｆに収納する。
【００４０】
汚損カセット８２ｇは、図２に示す出金繰出引出部８５に着脱可能に設けられている。汚損カセット８２ｇは、出金繰出引出部８５に装填された後、この出金繰出引出部８５がベース筐体４３に押し込まれると、入金貯留部６２の貯留区分部６３ｇから落下する硬貨を収納可能となる。また、汚損カセット８２ｇは、ベース筐体４３から出金繰出引出部８５が引き出された後、この出金繰出引出部８５から取り外されることで、収納した硬貨が外部に取り出し可能となる。
【００４１】
硬貨収納出金部２２は、図１に示すように、出金ホッパ８１ａ〜８１ｆ及び精査ホッパ８３ｈから計数しつつ繰り出された硬貨を搬送しつつ金種を識別して計数する硬貨出金搬送部１０１と、硬貨出金搬送部１０１で搬送されてきた硬貨を収納する硬貨出金部１０２（出金部）と、硬貨出金部１０２に収納されている硬貨を案内する出金リジェクト案内部１０３と、出金リジェクト案内部１０３で硬貨出金部１０２から案内された硬貨を収納する出金リジェクト部１０４とを有している。
【００４２】
硬貨出金部１０２は、箱状であって、図２に示す装置本体４１の収納引出部７２から前方に引き出されて収納引出部７２から取り外される。硬貨出金部１０２は、ベース筐体４３に対し押し込まれた収納引出部７２に装填された状態で硬貨を収納し、収納引出部７２から取り外されることで、収納した硬貨が外部に取り出し可能となる。
【００４３】
出金リジェクト部１０４は、箱状であって、収納引出部７２から前方に引き出されて収納引出部７２から取り外される。出金リジェクト部１０４は、ベース筐体４３に対し押し込まれた収納引出部７２に装填された状態で、出金リジェクト案内部１０３で硬貨出金部１０２から案内された硬貨を収納し、収納引出部７２から取り外されることで、収納した硬貨が外部に取り出し可能となる。
【００４４】
図３に示すように、出金ホッパ８１ａ〜８１ｆの計数繰出部９１ａ〜９１ｆ及び精査ホッパ８３ｈの識別計数繰出部９３ｈは前後方向に直線状に並んで配置されており、これらの硬貨繰り出し方向の前方に、硬貨出金搬送部１０１を構成する繰出側搬送路１１１が設けられている。また、硬貨出金搬送部１０１は、この繰出側搬送路１１１の精査ホッパ８３ｈとは反対側の端部から硬貨を受け取って、繰出側搬送路１１１に垂直な左右方向に搬送する出金側搬送路１１２を有している。この出金側搬送路１１２は、繰出側搬送路１１１から汚損カセット８２ｇの方向に延びている。
【００４５】
硬貨出金搬送部１０１は、出金側搬送路１１２の繰出側搬送路１１１とは反対側の端部に、出金側搬送路１１２で搬送中の硬貨の重なりを崩すローラ１１３を有しており、出金側搬送路１１２の繰出側搬送路１１１とは反対側に、出金側搬送路１１２とローラ１１３との間を通過して出金側搬送路１１２から一枚ずつ繰り出される硬貨を金種識別を行って計数する出金識別計数部１１４を有している。この出金識別計数部１１４の識別結果に基づいて、硬貨出金部１０２に硬貨を収納させたり、硬貨出金部１０２の硬貨をさらに出金リジェクト案内部１０３で出金リジェクト部１０４に収納させたりする。
【００４６】
出金側搬送路１１２と汚損カセット８２ｇとの間には、出金側搬送路１１２と平行に戻入下搬送路１２１が設けられており、出金側搬送路１１２と戻入下搬送路１２１との間には、出金側搬送路１１２で繰出側搬送路１１１から出金識別計数部１１４に向けて搬送中の硬貨を、出金側搬送路１１２側に揺動することで戻入下搬送路１２１に移動させる揺動可能な精査ゲート１２２が設けられている。戻入下搬送路１２１には硬貨の残留を検出する図示略の戻入下残留検知センサが設けられている。戻入下搬送路１２１の上側には、戻入下搬送路１２１で搬送されてきた硬貨を上方に搬送する戻入縦搬送路１２３が設けられている。戻入縦搬送路１２３には末端位置に硬貨を計数する図示略の戻入縦計数センサが設けられている。この計数センサは硬貨の金種識別は行わずに計数のみを行う。
【００４７】
繰出側搬送路１１１の上方には、これと平行に戻入上搬送路１２５が設けられており、戻入上搬送路１２５は戻入縦搬送路１２３から硬貨を受け取って搬送する。戻入上搬送路１２５の出金ホッパ８１ａ〜８１ｆとは反対側には、戻入上搬送路１２５で搬送中の硬貨を出金ホッパ８１ａ〜８１ｆ及び精査ホッパ８３ｈに振り分ける揺動可能な戻入ゲート１２６ａ〜１２６ｆが設けられている。
【００４８】
戻入ゲート１２６ａは出金ホッパ８１ａ側に揺動することで硬貨を出金ホッパ８１ａに収納し、戻入ゲート１２６ｂは出金ホッパ８１ｂ側に揺動することで硬貨を出金ホッパ８１ｂに収納し、戻入ゲート１２６ｃは出金ホッパ８１ｃ側に揺動することで硬貨を出金ホッパ８１ｃに収納し、戻入ゲート１２６ｄは出金ホッパ８１ｄ側に揺動することで硬貨を出金ホッパ８１ｄに収納し、戻入ゲート１２６ｅは出金ホッパ８１ｅ側に揺動することで硬貨を出金ホッパ８１ｅに収納し、戻入ゲート１２６ｆは出金ホッパ８１ｆ側に揺動することで硬貨を出金ホッパ８１ｆに収納する。戻入上搬送路１２５は、戻入ゲート１２６ａ〜１２６ｆで出金ホッパ８１ａ〜８１ｆに収納されなかった硬貨を末端位置から精査ホッパ８３ｈに収納する。戻入上搬送路１２５には硬貨の残留を検出する図示略の戻入上残留検知センサが設けられている。
【００４９】
ここで、出金ホッパ８１ａ〜８１ｆの硬貨量を精査する精査処理時には、例えば、出金ホッパ８１ａの硬貨を、計数繰出部９１ａで繰出側搬送路１１１に繰り出して、繰出側搬送路１１１及び出金側搬送路１１２で搬送し、精査ゲート１２２で出金側搬送路１１２から戻入下搬送路１２１に移動させて、戻入下搬送路１２１、戻入縦搬送路１２３及び戻入上搬送路１２５で精査ホッパ８３ｈに収納させる。このようにして、出金ホッパ８１ａに収納されていた硬貨を全て精査ホッパ８３ｈに移動させて出金ホッパ８１ａを空にする。この時、在高枚数と計数繰出部９１ａの計数枚数が一致した後、所定の時間出金ホッパ８１ａを駆動し計数繰出部９１ａに到達する硬貨が無いことで空と判断する。或いは、出金ホッパ８１ａ内に図示略の出金ホッパ残留検知センサを設け、これの硬貨反応が無くなることで空と判断する。また、搬送路上に硬貨が残留していないことの確認は、計数繰出部９１ａの計数枚数と図示略の戻入縦計数センサとの計数枚数の一致確認と、搬送路を正逆転しながら図示略の戻入下残留検知センサと図示略の戻入上残留検知センサとの両方に硬貨反応が無いことにより判断する。
【００５０】
その後、精査ホッパ８３ｈから硬貨を識別計数繰出部９３ｈで識別しつつ計数して繰出側搬送路１１１に繰り出して、繰出側搬送路１１１及び出金側搬送路１１２で搬送し、精査ゲート１２２で出金側搬送路１１２から戻入下搬送路１２１に移動させて、戻入下搬送路１２１、戻入縦搬送路１２３及び戻入上搬送路１２５で搬送し、戻入ゲート１２６ａで出金ホッパ８１ａに戻し精査ホッパ８３ｈを空にする。この時、在高データと識別計数繰出部９３ｈの硬貨データ（枚数と金種）の一致を確認し、所定の時間、精査ホッパ８３ｈを駆動し識別計数繰出部９３ｈに到達する効果が無いことで空と判断する。或いは、精査ホッパ８３ｈ内に図示略の精査ホッパ残留検知センサを設け、これの硬貨反応が無くなることで空と判断する。また、搬送路上に硬貨が残留していないことの確認は、計数繰出部９１ａの計数枚数と図示略の戻入縦計数センサとの計数枚数の一致確認と、搬送路を正逆転しながら図示略の戻入下残留検知センサと図示略の戻入上残留検知センサとの両方に硬貨反応が無いことにより判断する。
【００５１】
これにより、出金ホッパ８１ａ内の硬貨データ（枚数と金種）を確定する。出金ホッパ８１ｂ〜８１ｆについても同様にして硬貨データ（枚数と金種）を確定する。出金ホッパ８１ａの精査時において、精査ホッパ８３ｈから硬貨を繰り出している時に、異金種が繰り出された場合は、繰出側搬送部１１１のみを停止して、出金側搬送路１１２、戻入下搬送路１２１、戻入縦搬送路１２３及び戻入上搬送路１２５上の硬貨は全て８１ａ内へ移送する。その後、精査ゲート１２２を出金識別計数部１１４に搬送する状態に移動し、搬送部１１１を駆動させることで搬送部１１１上の硬貨を全て硬貨出金部１０２経由で出金リジェクト部１０４へ収納する。更にその後、精査ゲート１２２を戻入下搬送路１２１側へ切り替え精査処理を継続する。出金ホッパ８１ｂ〜８１ｆについても同様である。
【００５２】
繰出側搬送路１１１の中間位置には、小径側の３金種の硬貨を収納する出金ホッパ８１ａ〜８１ｃから計数繰出部９１ａ〜９１ｃで繰り出されて繰出側搬送路１１１で搬送される硬貨を、硬貨収納繰出部８１側に揺動することで図１に示す棒金処理部１２側に繰り出す小径側中間ゲート１３１と、大径側の３金種の硬貨を収納する出金ホッパ８１ｄ〜８１ｆから計数繰出部９１ｄ〜９１ｆで繰り出されて繰出側搬送路１１１で搬送される硬貨を、硬貨収納繰出部８１側に揺動することで棒金処理部１２側に繰り出す大径側中間ゲート１３２とが設けられている。大径側中間ゲート１３２は、精査ホッパ８３ｈから識別計数繰出部９３ｈで繰り出されて繰出側搬送路１１１で搬送される硬貨を、硬貨収納繰出部８１側に揺動することで棒金処理部１２側に繰り出す。
【００５３】
［棒金処理部１２］
棒金処理部１２は、図１に示すように、硬貨収納出金部２２から硬貨を受け入れて包装し棒金とする包装処理を行う包装部２０１と、包装部２０１で作製した棒金を収納する棒金収納部２０２と、包装部２０１及び棒金収納部２０２から棒金を受け入れて外部に取り出し可能に出金する棒金出金部２０３とを有している。
【００５４】
包装部２０１は、硬貨収納出金部２２の出金ホッパ８１ａ〜８１ｆの何れか一金種用の出金ホッパから計数繰出部９１ａ〜９１ｆの対応するもので繰り出され、繰出側搬送路１１１と、小径側中間ゲート１３１或いは大径側中間ゲート１３２とで棒金処理部１２に搬送されてきた硬貨を受け取って包装する。また、包装部２０１は、精査ホッパ８３ｈから識別計数繰出部９３ｈで繰り出され、繰出側搬送路１１１と大径側中間ゲート１３２とで棒金処理部１２に搬送されてきた硬貨を受け取って包装する。また、包装部２０１は、入金ホッパ３１から繰り出され、包装案内部５５で棒金処理部１２に案内されてきた硬貨を受け取って包装する。
【００５５】
ここで、硬貨処理装置１０は、出金ホッパ８１ａ〜８１ｆの何れかの硬貨量が所定量であるニアフル値を超えると、自動包装処理を行うことになる。この自動包装処理では、出金ホッパ８１ａ〜８１ｆのうちの硬貨量がニアフル値を超えたものから計数繰出部９１ａ〜９１ｆの対応するもので硬貨を繰り出す繰出処理を行い、この繰出処理で繰り出され、繰出側搬送路１１１と、小径側中間ゲート１３１或いは大径側中間ゲート１３２とで棒金処理部１２に搬送されてきた硬貨を包装部２０１で受け取って包装する。
【００５６】
また、硬貨処理装置１０は、入金ホッパ３１に投入された硬貨を包装するローカル包装処理において、入金ホッパ３１に投入された硬貨から指定された金種以外の硬貨を入金リジェクト案内部３４で入金リジェクト部３５に案内する一方、指定された金種の硬貨を包装案内部５５で棒金処理部１２に案内することになり、包装部２０１は、このように包装案内部５５で案内された硬貨を受け取って包装する。
【００５７】
包装部２０１は、棒金処理部１２における硬貨処理部１１側にあって、硬貨処理部１１から硬貨を受け入れると共に、受け入れた硬貨を、金種識別しつつ計数して包装単位枚数（５０枚）ずつ繰り出す硬貨識別計数部２１１と、硬貨識別計数部２１１から繰り出された包装単位枚数の硬貨を集積させて紙或いは樹脂フィルムからなる包装紙を巻き回し、この包装紙を切断した後、集積方向に両側の包装紙の余長部分を内側に丸めるように加締めることにより棒金とする硬貨集積包装部２１２とを有している。
【００５８】
包装部２０１は、硬貨集積包装部２１２で作製されて下方に繰り出された棒金を３方向に振り分けて搬送する棒金振分搬送部２１３と、棒金振分搬送部２１３で第１の方向に振り分けられた棒金を収納する自動時端数棒金収納部２１４と、棒金振分搬送部２１３で第２の方向に振り分けられた棒金を収納するローカル時端数棒金収納部２１５とを有している。自動時端数棒金収納部２１４は、自動包装処理において、包装単位枚数に満たない数の硬貨を包装した端数棒金を収納することになり、ローカル時端数棒金収納部２１５は、ローカル包装処理において、包装単位枚数に満たない数の硬貨を包装した端数棒金を収納することになる。
【００５９】
自動時端数棒金収納部２１４及びローカル時端数棒金収納部２１５は、何れも箱状であって、装置本体４１から前方に引き出されて取り外される。自動時端数棒金収納部２１４及びローカル時端数棒金収納部２１５は、何れも装置本体４１に装填された状態で、棒金振分搬送部２１３により振り分けられた端数棒金を収納し、装置本体４１から取り外されることで、収納した端数棒金が外部に取り出し可能となる。
【００６０】
棒金出金部２０３は、棒金振分搬送部２１３で硬貨処理部１１とは反対の第３の方向に振り分けられた棒金を受け取って昇降搬送する棒金出金リフト２２１を有している。棒金振分搬送部２１３で第３の方向に振り分けられる棒金は、端数棒金以外の棒金つまり包装単位枚数の硬貨を包装して作製した正常棒金である。棒金出金部２０３は、棒金出金リフト２２１で搬送されてきた棒金を外部に放出する下部棒金放出口２２２と、棒金出金リフト２２１で搬送されてきた棒金を受け取って外部に取り出し可能に収納する上部棒金出金口２２３と、棒金出金リフト２２１で搬送されてきた棒金を外部に取り出し可能に収納する棒金一括収納部２２４とを有している。
【００６１】
下部棒金放出口２２２は、外部に臨んで設けられており、棒金出金リフト２２１から受け取った棒金を図示略の受箱に向けて放出する。上部棒金出金口２２３は、外部に臨んで設けられており、棒金出金リフト２２１から受け取った棒金を外部に取り出し可能に収納する。棒金一括収納部２２４は、箱状であって、装置本体４１から引き出されて取り外される。棒金一括収納部２２４は、装置本体４１に装填された状態で、棒金出金リフト２２１から受け取った棒金を収納し、装置本体４１から取り外されることで、収納した棒金が外部に取り出し可能となる。
【００６２】
棒金収納部２０２は、棒金出金リフト２２１で搬送されてきた棒金を受け取って硬貨処理部１１の方向に搬送する棒金収納搬送部２３１と、棒金収納搬送部２３１から棒金を受け取って上方に搬送する棒金収納リフト２３２と、棒金収納リフト２３２で搬送されてきた棒金を受け取って金種別に分類して収納する棒金収納本体部２３３と、棒金収納本体部２３３から金種別に棒金を計数しつつ棒金出金リフト２２１に繰り出す棒金繰出部２３４とを有している。棒金出金リフト２２１は、棒金繰出部２３４で棒金収納本体部２３３から繰り出された棒金を受け取って、上部棒金出金口２２３及び棒金一括収納部２２４に振り分ける。
【００６３】
硬貨処理装置１０は、入金ホッパ３１の図示略のシャッタを閉じ、入金貯留部６２を空の状態でその入金貯留部本体６４及び底板６５の両方を図３に示す装填位置に位置させた状態が待機状態となっている。また、この待機状態では、精査ゲート１２２を、出金側搬送路１１２で繰出側搬送路１１１からの硬貨を出金識別計数部１１４に搬送する状態としている。
【００６４】
装置本体４１の収納引出部７２は、図８に示す押し込み位置（全閉位置）と図９に示す引き出し位置（全開位置）との間で、ベース筐体４３に対し前後移動可能に連結されている。収納引出部７２は、図８に示す押し込み位置でベース筐体４３に引き出し不可にロックされており、別体のキー３０１がキーシリンダ３０２に差し込まれて回動させられると、ロックが解除されてベース筐体４３から引き出し可能となる。
【００６５】
図９に示すように、収納引出部７２は、右方に着脱開口部３１０を有して左方に凹む凹形状のカセット収納部３１１を有している。収納引出部７２は、カセット収納部３１１に金種別の収納カセット７１ａ〜７１ｆを収納する。カセット収納部３１１は、上部で水平に広がる天板部３１５と、後部で前後方向に対し直交して広がる後壁部３１６と、前部で前後方向に対し直交して広がる前壁部３１７と、下部で水平に広がる底板部３１８と、これら天板部３１５、後壁部３１６、前壁部３１７及び底板部３１８で囲まれた部分の着脱開口部３１０とは反対側を閉塞する側壁部３１９を有している。
【００６６】
底板部３１８は、天板部３１５、後壁部３１６及び前壁部３１７よりも右方に延出する延出部３２１を有しており、この延出部３２１を含む底板部３１８には、収納カセット７１ａ〜７１ｆの左右方向のスライドを案内する各一対のガイドレール３２２ａ〜３２２ｆが設けられている。収納カセット７１ａは、図１０に示すように、一対のガイドレール３２２ａの延出部３２１にある部分に載置された後、押し込まれることでガイドレール３２２ａで案内されて、図９に示すように、カセット収納部３１１内のセット位置に位置する。一方、収納カセット７１ａは、図９に示すセット位置から引き出されることでガイドレール３２２ａで案内されて、図１０に示すように、カセット収納部３１１外の取り出し位置に位置し、この取り出し位置で持ち上げられることで、カセット収納部３１１から離れる。
【００６７】
同様に、収納カセット７１ｂは一対のガイドレール３２２ｂで案内されてカセット収納部３１１内のセット位置とカセット収納部３１１外の取り出し位置との間で移動し、収納カセット７１ｃは一対のガイドレール３２２ｃで案内されてカセット収納部３１１内のセット位置とカセット収納部３１１外の取り出し位置との間で移動し、収納カセット７１ｄは一対のガイドレール３２２ｄで案内されてカセット収納部３１１内のセット位置とカセット収納部３１１外の取り出し位置との間で移動し、収納カセット７１ｅは一対のガイドレール３２２ｅで案内されてカセット収納部３１１内のセット位置とカセット収納部３１１外の取り出し位置との間で移動し、収納カセット７１ｆは一対のガイドレール３２２ｆで案内されてカセット収納部３１１内のセット位置とカセット収納部３１１外の取り出し位置との間で移動する。
【００６８】
天板部３１５には、図９に示すように、カセット収納部３１１のセット位置にセットされた収納カセット７１ａの鉛直上方に位置して収納部側開口部３２５ａが形成されており、同様に、セット位置にセットされた収納カセット７１ｂの鉛直上方に収納部側開口部３２５ｂが、セット位置にセットされた収納カセット７１ｃの鉛直上方に収納部側開口部３２５ｃが、セット位置にセットされた収納カセット７１ｄの鉛直上方に収納部側開口部３２５ｄが、セット位置にセットされた収納カセット７１ｅの鉛直上方に収納部側開口部３２５ｅが、セット位置にセットされた収納カセット７１ｆの鉛直上方に収納部側開口部３２５ｆが、それぞれ形成されている。
【００６９】
収納引出部７２がベース筐体４３に押し込まれた状態にあるとき、収納部側開口部３２５ａは、上記した収納位置に位置する図５に示す入金貯留部本体６４の貯留区分部６３ａを構成する部分の鉛直下方に位置することになる。なお、図３〜図７においては、簡略化のため、収納引出部７２は図示を略している。
【００７０】
同様に、図９に示す収納部側開口部３２５ｂが、図５に示す収納位置に位置する入金貯留部本体６４の貯留区分部６３ｂを構成する部分の鉛直下方に、図９に示す収納部側開口部３２５ｃが、図５に示す収納位置に位置する入金貯留部本体６４の貯留区分部６３ｃを構成する部分の鉛直下方に、図９に示す収納部側開口部３２５ｄが、図５に示す収納位置に位置する入金貯留部本体６４の貯留区分部６３ｄを構成する部分の鉛直下方に、図９に示す収納部側開口部３２５ｅが、図５に示す収納位置に位置する入金貯留部本体６４の貯留区分部６３ｅを構成する部分の鉛直下方に、図９に示す収納部側開口部３２５ｆが、図５に示す収納位置に位置する入金貯留部本体６４の貯留区分部６３ｆを構成する部分の鉛直下方に、それぞれ位置する。
【００７１】
図９に示すカセット収納部３１１は、異物侵入防止のために、着脱開口部３１０と収納部側開口部３２５ａ〜３２５ｆとを除いて、天板部３１５、後壁部３１６、前壁部３１７及び側壁部３１９で覆われている。更に、着脱開口部３１０の高さと収納カセット７１ａ〜７１ｆの高さとがほぼ同じ高さとされている。
【００７２】
カセット収納部３１１は、収納部側開口部３２５ａ〜３２５ｆを開閉する板状の収納部側開閉体３３１と、収納部側開閉体３３１を開閉駆動する開閉駆動機構３３２とを有している。収納部側開閉体３３１は、例えば１枚の長い板で形成されており、１つの部材で全部の収納部側開口部３２５ａ〜３２５ｆを同時に開いたり同時に閉じたりすることができる。開閉駆動機構３３２は、制御部１４１に制御されて、収納部側開閉体３３１を、収納部側開口部３２５ａ〜３２５ｆを開く開放位置と、収納部側開口部３２５ａ〜３２５ｆを閉じる図９に示す閉塞位置との間で左右に移動させる。
【００７３】
収納カセット７１ａ〜７１ｆは、同様の構造であるため、収納カセット７１ａを例にとり説明する。図１１に示す収納カセット７１ａは、金属製、樹脂製又はこれらを組み合わせて作製された箱である。収納カセット７１ａは、上部にカセット側開口部３４１を有して硬貨を収納する硬貨収納体３４２と、カセット側開口部３４１を開閉するカセット側開閉体３４３とを備えている。カセット側開閉体３４３は手動で開閉される。
【００７４】
硬貨収納体３４２は、主壁部３５１と、主壁部３５１と対向する対向壁部３５２と、主壁部３５１及び対向壁部３５２同士を繋ぐ一対の壁部３５３と、これらで囲まれた部分の下部を閉塞する底板部３５４とを有している。これにより、硬貨収納体３４２は、上部にカセット側開口部３４１を有して下方に凹む凹形状をなしている。硬貨収納体３４２には、主壁部３５１に、図１０に示すように、カセット収納部３１１から引き出される際に操作者に把持される取っ手３５８が設けられている。
【００７５】
図１１に示すように、硬貨収納体３４２には、一対の壁部３５３の上部の相互対向側に、互いに離れる方向に凹んで主壁部３５１及び対向壁部３５２を結ぶ方向に延在する一対のガイド溝３６１が形成されている。硬貨収納体３４２には、その上端部の主壁部３５１及び対向壁部３５２を結ぶ方向の中間部に、一対の壁部３５３同士を結ぶように把持棒３６２が設けられている。把持棒３６２は、収納カセット７１ａを持ち上げる際に、操作者により把持される部分である。
【００７６】
硬貨収納体３４２には、一方の壁部３５３の対向壁部３５２側に、鉤型の開閉体ロック部材３６５が支持軸３６６を中心に回動可能に設けられている。開閉体ロック部材３６５は、図示略のスプリングで付勢されて、図１１に示すように、支持軸３６６から主壁部３５１側に延出する姿勢となっており、図示略のスプリングの付勢力に抗して下方に回動可能となっている。開閉体ロック部材３６５は、主壁部３５１側の先端部に上方に突出する係合爪部３６７を有している。係合爪部３６７は、支持軸３６６とは反対側が主壁部３５１側ほど低くなるように傾斜している。また、硬貨収納体３４２は、別体のキー部材３７１が差し込まれて回動させられるキーシリンダ３７２と、キーシリンダ３７２が回動させられることで開閉体ロック部材３６５を図示略のスプリングに付勢力に抗して下方に回動させる図示略の開閉ロック解除機構とを有している。
【００７７】
カセット側開閉体３４３は、板状のスライド部材３８１と、スライド部材３８１にヒンジ３８２を介して回動可能に連結された板状の回動部材３８３とを有している。スライド部材３８１は、一対のガイド溝３６１に挿入されてこれらに沿ってスライドするスライド板部３８５と、スライド板部３８５のヒンジ３８２とは反対側から上方に立ち上がる押圧板部３８６と、スライド板部３８５の下面に設けられた係合凸部３８７とを有している。回動部材３８３は、スライド部材３８１のスライド板部３８５と同一平面をなす状態で、一対のガイド溝３６１に挿入されてこれらに沿ってスライドする回動板部３９１と、回動板部３９１がスライド板部３８５と同一平面をなす状態で、回動板部３９１のヒンジ３８２とは反対側から上方に立ち上がる把持板部３９２とを有している。
【００７８】
カセット側開閉体３４３は、図１２に示すように、スライド板部３８５が主壁部３５１側に位置して回動部材３８３をヒンジ３８２から下方に延出させる位置が、硬貨収納体３４２のカセット側開口部３４１を開放する開放位置となる。ヒンジ３８２から下方に延出する回動部材３８３は、図１１に示す取っ手３５８及びキーシリンダ３７２を覆う。硬貨収納体３４２は、主壁部３５１の取っ手３５８よりも下側に開閉体保持部３９５を有している。開閉体保持部３９５は、ヒンジ３８２から下方に延出する状態の回動部材３８３を磁力で吸着するマグネットキャッチである。収納カセット７１ａは、大量の硬貨を収納するものであることから、大量の硬貨の重量に耐えうる金属製とされており、その一部である金属製の回動部材３８３が揺れると、騒音が発生してしまう。また、収納カセット７１ａ内の硬貨を外へ放出する時、回動部材３８３が揺れると硬貨放出の作業性が悪くになる。これらのため、開閉体保持部３９５が回動部材３８３を吸着してその揺れを規制する。
【００７９】
図１３に示すように、カセット側開閉体３４３がカセット側開口部３４１を開放する開放位置から、操作者が、把持板部３９２を把持し回動部材３８３を持ち上げて、図１４に示すように、回動板部３９１をスライド板部３８５と同一平面をなす状態として、回動板部３９１を一対のガイド溝３６１に挿入すると、回動板部３９１とスライド板部３８５とが同一平面をなす状態のまま、カセット側開閉体３４３が対向壁部３５２側に移動し、図１５に示すように、対向壁部３５２に当接する。その直前に、カセット側開閉体３４３の係合凸部３８７が、開閉体ロック部材３６５の係合爪部３６７の先端の傾斜部分に当接してこの傾斜により開閉体ロック部材３６５を図示略のスプリングの付勢力に抗して下方に回動させた後、係合爪部３６７の位置を越えることで開閉体ロック部材３６５を図示略のスプリングの付勢力で上方に回動させる。その結果、係合凸部３８７が係合爪部３６７に係合して、カセット側開閉体３４３を硬貨収納体３４２に対し移動不可にロックする。この位置が、カセット側開閉体３４３が硬貨収納体３４２のカセット側開口部３４１を閉塞すると共に、開閉体ロック部材３６５でスライド不可にロックされる閉塞位置となる。このようにカセット側開閉体３４３がカセット側開口部３４１を閉塞する状態でロックされると、収納カセット７１ａは、内部へのアクセスが規制されることになる。
【００８０】
この閉塞状態で、図１６に示す別体のキー部材３７１がキーシリンダ３７２に差し込まれて回動させられると、図示略の開閉ロック解除機構が図１５に示す開閉体ロック部材３６５を図示略のスプリングに付勢力に抗して下方に回動させることになり、その結果、カセット側開閉体３４３が硬貨収納体３４２に対しスライド可能となる。この状態で、操作者が、把持板部３９２を把持してカセット側開閉体３４３を硬貨収納体３４２に対し対向壁部３５２とは反対側にスライドさせると、カセット側開口部３４１を開放する開放状態となる。カセット側開閉体３４３は、この開放状態になると、図１３に示すように、係合凸部３８７が主壁部３５１に当接して、それ以上の引き出しが規制される。
【００８１】
支持軸３６６、開閉体ロック部材３６５、これを付勢する図示略のスプリング、キーシリンダ３７２及び図示略の開閉ロック解除機構が、カセット側開閉体３４３の閉作動でカセット側開閉体３４３に押圧されてカセット側開閉体３４３を閉状態でロックすると共に、別体のキー部材３７１でロックが解除される開閉体ロック機構４０１を構成している。硬貨カセット７１ａが、この開閉体ロック機構４０１を備えている。
【００８２】
収納カセット７１ａは、図１５に示すように、カセット側開閉体３４３がカセット側開口部３４１を閉塞する状態でロックされると、図１６に示す別体のキー部材３７１でロックを解除するまでは内部へのアクセスが規制されることになり、硬貨運搬用の金庫として機能する。
【００８３】
図１３に示すように、カセット収納部３１１の天板部３１５側の側壁部３１９側には、カセットロック部材４１１が支持軸４１２を中心に回動可能に設けられている。カセットロック部材４１１は、図示略のスプリングで付勢されて、図１３に示すように、支持軸４１２から側壁部３１９に向けて斜め下方に延出する姿勢となっており、図示略のスプリングの付勢力に抗して上方に回動可能となっている。カセット側開閉体３４３を開放状態とした収納カセット７１ａが図９に示すガイドレール３２２ａで案内されて取り出し位置からセット位置までカセット収納部３１１内に押し込まれると、収納カセット７１ａの図１３に示す対向壁部３５２が、カセットロック部材４１１に当接してこれを図示略のスプリングの付勢力に抗して上方に回動させた後、カセットロック部材４１１を越えることでこれを図示略のスプリングの付勢力で下方に回動させて、図１３に示すように、カセットロック部材４１１に係合する。これにより、収納カセット７１ａがカセットロック部材４１１でセット位置にロックされる。
【００８４】
この状態で、操作者が、カセット側開閉体３４３の把持板部３９２を把持し、図１４に示すように、回動部材３８３を持ち上げて、回動板部３９１をスライド板部３８５と同一平面をなす状態として、回動板部３９１を一対のガイド溝３６１に挿入すると、回動板部３９１とスライド板部３８５とが同一平面をなす状態のまま、カセット側開閉体３４３が対向壁部３５２側に移動し、対向壁部３５２に当接する。その直前に、押圧板部３８６が、カセットロック部材４１１に当接し、これを図示略のスプリングの付勢力に抗して持ち上げて、図１５に示すように、カセットロック部材４１１による収納カセット７１ａのセット位置でのロックを解除する。ここで、カセット側開閉体３４３が開閉体ロック部材３６５によりロックされた後に、カセット側開閉体３４３によるカセットロック部材４１１のロック解除が行われる。これにより、収納カセット７１ａを取り出す時には、必ずカセット側開閉体３４３が開閉体ロック部材３６５によりロックされている状態となり、セキュリティを確保できる。なお、カセット側開閉体３４３が開閉体ロック部材３６５によりロックされた後にカセット側開閉体３４３によるカセットロック部材４１１のロック解除が行われることが好ましいが、カセット側開閉体３４３によるカセットロック部材４１１のロック解除と、カセット側開閉体３４３の開閉体ロック部材３６５によるロックとは同時に行われるようにしても良い。
【００８５】
カセットロック部材４１１及びこれを付勢する図示略のスプリングは、セット位置にセットされた収納カセット７１ａを取り出し不可にロックすると共に収納カセット７１ａのカセット側開閉体３４３の閉作動でカセット側開閉体３４３に押圧されてロックが解除されるカセットロック機構４１５を構成している。カセット収納部３１１が、このカセットロック機構４１５を備えている。
【００８６】
カセット収納部３１１は、何れも同様の構造をなす、収納カセット７１ｂを取り出し不可にロックすると共に収納カセット７１ｂのカセット側開閉体３４３の閉作動でロックが解除されるカセットロック機構４１５と、収納カセット７１ｃを取り出し不可にロックすると共に収納カセット７１ｃのカセット側開閉体３４３の閉作動でロックが解除されるカセットロック機構４１５と、収納カセット７１ｄを取り出し不可にロックすると共に収納カセット７１ｄのカセット側開閉体３４３の閉作動でロックが解除されるカセットロック機構４１５と、収納カセット７１ｅを取り出し不可にロックすると共に収納カセット７１ｅのカセット側開閉体３４３の閉作動でロックが解除されるカセットロック機構４１５と、収納カセット７１ｆを取り出し不可にロックすると共に収納カセット７１ｆのカセット側開閉体３４３の閉作動でロックが解除されるカセットロック機構４１５とを有している。
【００８７】
図９に示すように、収納カセット７１ａ〜７１ｆがカセット収納部３１１のセット位置にセットされて、図８に示すように、収納引出部７２がベース筐体４３に押し込まれた押し込み位置に位置する状態で、装置本体４１の図５に示す入金貯留部６２が、底板６５を装填位置に保持した状態のまま入金貯留部本体６４を側方の収納位置に移動させると、貯留区分部６３ａから落下する硬貨を、図１３に示すように、開放状態にある収納部側開口部３２５ａ及び収納カセット７１ａの開放状態にあるカセット側開口部３４１を介して収納カセット７１ａ内に放出する。言い換えれば、収納カセット７１ａは、カセット側開口部３４１を有し、カセット収納部３１１に対し着脱可能であってカセット収納部３１１にセットされた状態で装置本体４１から収納部側開口部３２５ａを介して放出される硬貨をカセット側開口部３４１を介して受け入れて収納する。
【００８８】
同様に、貯留区分部６３ｂの硬貨を、開放状態にある収納部側開口部３２５ｂ及び収納カセット７１ｂの開放状態にあるカセット側開口部３４１を介して収納カセット７１ｂ内に、貯留区分部６３ｃの硬貨を、開放状態にある収納部側開口部３２５ｃ及び収納カセット７１ｃの開放状態にあるカセット側開口部３４１を介して収納カセット７１ｃ内に、貯留区分部６３ｄの硬貨を、開放状態にある収納部側開口部３２５ｄ及び収納カセット７１ｄの開放状態にあるカセット側開口部３４１を介して収納カセット７１ｄ内に、貯留区分部６３ｅの硬貨を、開放状態にある収納部側開口部３２５ｅ及び収納カセット７１ｅの開放状態にあるカセット側開口部３４１を介して収納カセット７１ｅ内に、貯留区分部６３ｆの硬貨を、開放状態にある収納部側開口部３２５ｆ及び収納カセット７１ｆの開放状態にあるカセット側開口部３４１を介して収納カセット７１ｆ内に、それぞれ放出する。
【００８９】
図８に示すように、収納引出部７２が装置本体４１に押し込まれた状態では、図９に示す収納カセット７１ａ〜７１ｆは、図１３に収納カセット７１ａを例示するようにカセット側開口部３４１を開放させた状態で収納引出部７２内に収納されている。すなわち、装置稼働開始前には、空の収納カセット７１ａ〜７１ｆが、それぞれの上部のカセット側開閉体３４３を開き、ぞれぞれのカセット側開口部３４１を開放した状態で収納引出部７２に装填されている。このとき、収納カセット７１ａ〜７１ｆのそれぞれの対向壁部３５２が、それぞれ対応するカセットロック部材４１１に係合しており、収納カセット７１ａ〜７１ｆがそれぞれ対応するカセットロック部材４１１でセット位置にロックされている。
【００９０】
収納引出部７２のカセット収納部３１１の収納部側開閉体３３１は、図９，図１０に示すように、収納部側開口部３２５ａ〜３２５ｆを全閉にする閉塞位置が基本位置となっており、装置本体４１から収納カセット７１ａ〜７１ｆ内に硬貨を放出する際に、基本位置から収納部側開口部３２５ａ〜３２５ｆを全開状態にする開放位置に移動する。
【００９１】
「入金処理」
図示略の操作部に入金処理実行の操作入力がなされると、制御部１４１は、入金ホッパ３１の図示略のシャッタを開くと共に、開閉駆動機構３３２により、それまで収納部側開口部３２５ａ〜３２５ｆを閉塞する閉塞位置にあった収納部側開閉体３３１を開放位置に移動させて、収納部側開口部３２５ａ〜３２５ｆを全開状態にする。入金ホッパ３１内に硬貨が投入されたことを図示略のセンサで検出すると、制御部１４１は、入金ホッパ３１のシャッタを閉じ、入金ホッパ３１によって硬貨を一枚ずつ分離した状態で入金搬送部３３に繰り出し、入金搬送部３３で搬送しながら、入金識別計数部３２で真偽、金種及び正損を識別して計数する。そして、入金識別計数部３２で偽つまり受け入れ不可と識別された硬貨を入金リジェクト案内部３４で入金搬送部３３から案内して入金リジェクト部３５に収納する。他方、入金識別計数部３２で受け入れ可能と識別された硬貨を貯留案内部６１で入金搬送部３３から案内して、入金貯留部本体６４及び底板６５の両方が装填位置に位置する状態の入金貯留部６２に分類して貯留させる。入金貯留部６２は、貯留区分部６３ｇに全金種の汚損硬貨を、貯留区分部６３ａに１円の正常硬貨を、貯留区分部６３ｂに５０円の正常硬貨を、貯留区分部６３ｃに５円の正常硬貨を、貯留区分部６３ｄに１００円の正常硬貨を、貯留区分部６３ｅに１０円の正常硬貨を、貯留区分部６３ｆに５００円の正常硬貨を、それぞれ貯留することになる。
【００９２】
そして、入金ホッパ３１内にあった全ての硬貨が入金リジェクト部３５或いは入金貯留部６２に至ったと判定すると、制御部１４１は、入金識別計数部３２の識別結果から、受け入れ可能な入金硬貨の金種別の枚数データを図示略の表示部に表示させると共に、図示略の操作部に了解操作及びキャンセル操作の何れか一方の選択入力を受け付ける状態になって入金処理を終了する。
【００９３】
「入金収納処理」
入金処理後、操作部に了解操作が入力されると、制御部１４１は、硬貨収納繰出部８１が硬貨を繰り出す繰出処理を行っているか否かを判定する。硬貨収納繰出部８１が硬貨を繰り出す繰出処理を行っている場合、制御部１４１は、硬貨収納繰出部８１への硬貨の収納処理を禁止する状態になっている。このため、制御部１４１は、図５に示すように、ロック機構５０１を解除して底板６５を装填位置に保持した状態のまま入金貯留部本体６４を側方の収納位置に移動させることで貯留区分部６３ａ〜６３ｇから落下する硬貨を、その分類状態のままで硬貨収納部７１に収納する収納部収納処理を行う。
【００９４】
この収納部収納処理によって、貯留区分部６３ｇから落下する汚損硬貨を収納カセット７１ｇが収納し、貯留区分部６３ａから収納部側開口部３２５ａを介して落下する１円の正常硬貨を収納カセット７１ａが収納し、貯留区分部６３ｂから収納部側開口部３２５ｂを介して落下する５０円の正常硬貨を収納カセット７１ｂが収納し、貯留区分部６３ｃから収納部側開口部３２５ｃを介して落下する５円の正常硬貨を収納カセット７１ｃが収納し、貯留区分部６３ｄから収納部側開口部３２５ｄを介して落下する１００円の正常硬貨を収納カセット７１ｄが収納し、貯留区分部６３ｅから収納部側開口部３２５ｅを介して落下する１０円の正常硬貨を収納カセット７１ｅが収納し、貯留区分部６３ｆから収納部側開口部３２５ｆを介して落下する５００円の正常硬貨を収納カセット７１ｆが収納する。その後、制御部１４１は、入金貯留部本体６４を図３に示す装填位置に戻してロック機構５０１によって入金貯留部本体６４と底板６５とをロックすると共に、開閉駆動機構３３２により、収納部側開閉体３３１を閉塞位置に戻して収納部側開口部３２５ａ〜３２５ｆを閉塞して、収納部収納処理すなわち入金収納処理を終了する。
【００９５】
つまり、硬貨収納繰出部８１の繰出処理中に、入金貯留部６２に貯留している硬貨を硬貨収納繰出部８１に収納すると、硬貨収納繰出部８１の繰出処理で繰り出しジャムが発生する可能性が高くなることから、繰り出しジャムの発生を抑制するために、硬貨収納繰出部８１の繰出処理中は、入金貯留部６２に貯留している硬貨を、その分類状態のまま、硬貨収納繰出部８１とは別の硬貨収納部７１に収納する。
【００９６】
入金処理後、操作部に了解操作が入力された時点で、硬貨収納繰出部８１が硬貨を繰り出す繰出処理を行っていなければ、制御部１４１は、入金貯留部６２の金種別の貯留区分部６３ａ〜６３ｆに貯留している硬貨量と、硬貨収納繰出部８１の金種別の出金ホッパ８１ａ〜８１ｆに収納している硬貨量とを、金種別に加算して金種別の合計値を割り出す。また、貯留区分部６３ｇに貯留している汚損硬貨の硬貨量と、汚損カセット８２ｇに貯留している硬貨量とを加算して汚損硬貨の合計値を割り出す。そして、制御部１４１は、各金種別の合計値を各金種別に予め設定された設定値と比較すると共に、汚損硬貨の合計値を汚損硬貨の予め設定された設定値と比較する。
【００９７】
つまり、制御部１４１は、貯留区分部６３ａの硬貨量と出金ホッパ８１ａの硬貨量とを加算して１円の正常硬貨の硬貨量の合計値を割り出し、この合計値を１円の正常硬貨の硬貨量の設定値と比較する。また、制御部１４１は、貯留区分部６３ｂの硬貨量と出金ホッパ８１ｂの硬貨量とを加算して５０円の正常硬貨の硬貨量の合計値を割り出し、この合計値を５０円の正常硬貨の硬貨量の設定値と比較する。同様にして、制御部１４１は、５円の正常硬貨の硬貨量の合計値を割り出して、これを５円の正常硬貨の硬貨量の設定値と比較し、１００円の正常硬貨の硬貨量の合計値を割り出して、これを１００円の正常硬貨の硬貨量の設定値と比較し、１０円の正常硬貨の硬貨量の合計値を割り出して、これを１０円の正常硬貨の硬貨量の設定値と比較し、５００円の正常硬貨の硬貨量の合計値を割り出して、これを５００円の正常硬貨の硬貨量の設定値と比較する。また、制御部１４１は、入金貯留部６２の汚損硬貨用の貯留区分部６３ｇに貯留している硬貨量と、硬貨収納出金部２２の汚損硬貨用の汚損カセット８２ｇに収納している硬貨量とを加算して合計値を割り出し、この合計値についても汚損硬貨用に設定された設定値と比較する。ここで、設定値は、硬貨満杯時の上限値未満で設定し、ユーザーが任意に設定できる。
【００９８】
そして、割り出した硬貨量の金種別の合計値が何れか一金種でも設定値を超えると、制御部１４１は、硬貨収納繰出部８１への硬貨の収納処理を禁止する状態になり、上記した収納部収納処理を行って、貯留区分部６３ｇの硬貨を収納カセット７１ｇに、貯留区分部６３ａの硬貨を収納カセット７１ａに、貯留区分部６３ｂの硬貨を収納カセット７１ｂに、貯留区分部６３ｃの硬貨を収納カセット７１ｃに、貯留区分部６３ｄの硬貨を収納カセット７１ｄに、貯留区分部６３ｅの硬貨を収納カセット７１ｅに、貯留区分部６３ｆの硬貨を収納カセット７１ｆに、それぞれ収納する。その後、制御部１４１は、入金貯留部本体６４を図３に示す装填位置に戻してロック機構５０１によって入金貯留部本体６４と底板６５とをロックすると共に、開閉駆動機構３３２により、収納部側開閉体３３１を閉塞位置に戻して収納部側開口部３２５ａ〜３２５ｆを閉塞して、収納部収納処理つまり入金収納処理を終了する。
【００９９】
つまり、制御部１４１は、入金貯留部６２に分類別に貯留している硬貨を、その分類状態のまま、硬貨収納出金部２２に収納すると、硬貨収納出金部２２の出金ホッパ８１ａ〜８１ｆ及び汚損カセット８２ｇの何れかで設定値を超えてしまう場合、入金貯留部６２に分類別に貯留している硬貨を、その分類状態のまま、硬貨収納出金部２２とは別の硬貨収納部７１に収納する。言い換えれば、制御部１４１は、入金貯留部６２の金種別の貯留区分部６３ａ〜６３ｆ及び硬貨収納繰出部８１の金種別の出金ホッパ８１ａ〜８１ｆの硬貨量の金種別の合計値が、何れか一金種でも設定値を超えると、入金貯留部６２に貯留している硬貨を硬貨収納部７１に収納する。入金計数中に、収納カセット７１ｇから収納カセット７１ｆの硬貨収納部７１でどれか１金種でもカセット満杯になった時は、その時点で計数を止め、上記した収納部収納処理を行なって計数した硬貨を硬貨収納部７１に収納する。その後続きの計数を行い、計数した硬貨は硬貨収納出金部２２へ収納する。ここで有る金種の貯留区分部６３の硬貨量と出金ホッパ８１の硬貨量とを加算して合計値が、汚損カセット８２ｇの上限値と等しくなった時は、その時点で計数を止め、計数した硬貨は硬貨収納出金部２２へ収納する。
【０１００】
入金処理後、操作部に了解操作が入力された時点で、硬貨収納出金部２２が硬貨を繰り出す繰出処理を行っておらず、上記した入金貯留部６２の金種別の硬貨量と硬貨収納出金部２２の金種別の硬貨量との金種別の合計値が、何れの金種についても設定値を超えず、入金貯留部６２の汚損硬貨の硬貨量と硬貨収納出金部２２の汚損硬貨の硬貨量との合計値も設定値を超えない場合に、制御部１４１は、硬貨収納繰出部８１への硬貨の収納処理を許容する状態になり、図７に示すように、ロック機構５０１を解除して入金貯留部本体６４を装填位置に保持した状態のまま底板６５を側方の収納位置に移動させて貯留区分部６３ａ〜６３ｇから落下する硬貨を、その分類状態のままで硬貨収納繰出部８１及び汚損カセット８２ｇに収納する硬貨収納繰出部等収納処理を行う。
【０１０１】
この硬貨収納繰出部等収納処理によって、貯留区分部６３ｇから落下する汚損硬貨を汚損カセット８２ｇが、貯留区分部６３ａから落下する１円の正常硬貨を出金ホッパ８１ａが、貯留区分部６３ｂから落下する５０円の正常硬貨を出金ホッパ８１ｂが、貯留区分部６３ｃから落下する５円の正常硬貨を出金ホッパ８１ｃが、貯留区分部６３ｄから落下する１００円の正常硬貨を出金ホッパ８１ｄが、貯留区分部６３ｅから落下する１０円の正常硬貨を出金ホッパ８１ｅが、貯留区分部６３ｆから落下する５００円の正常硬貨を出金ホッパ８１ｆが、それぞれ収納する。その後、制御部１４１は、図３に示すように、底板６５を装填位置に戻してロック機構５０１によって入金貯留部本体６４と底板６５とをロックすると共に、開閉駆動機構３３２により、収納部側開閉体３３１を閉塞位置に戻して収納部側開口部３２５ａ〜３２５ｆを閉塞して、硬貨収納繰出部等収納処理つまり入金収納処理を終了する。ここで、制御部１４１は、この硬貨収納繰出部等収納処理を開始した後は、この硬貨収納繰出部等収納処理が終了するまでは、硬貨収納繰出部８１の硬貨を繰り出す繰出処理を禁止する。そして、硬貨収納繰出部等収納処理が終了すると、硬貨収納繰出部８１の硬貨を繰り出す繰出処理を許容する状態になる。
【０１０２】
以上、硬貨収納出金部２２の硬貨収納繰出部８１が繰出処理中でなければ、入金貯留部６２に貯留している硬貨を硬貨収納繰出部８１に収納しても、繰出処理を行っていない硬貨収納繰出部８１に繰り出しジャムが発生することはないため、硬貨収納繰出部８１の非繰出処理時には、入金貯留部６２に貯留している硬貨を、その分類状態のまま、硬貨収納繰出部８１に収納する。
【０１０３】
「入金返却処理」
入金処理後、操作部にキャンセル操作が入力されると、制御部１４１は、底板６５及び入金貯留部本体６４を収納位置に移動させた後に、図６に示すように、ロック機構５０１を解除して入金貯留部本体６４のみをさらに側方の返却位置に移動させて貯留区分部６３ａ〜６３ｇから落下する硬貨を、その分類状態のままで硬貨返却部７５に収納する。
【０１０４】
すなわち、貯留区分部６３ｇから落下する汚損硬貨を返却区分部７５ｇが、貯留区分部６３ａから落下する１円の正常硬貨を返却区分部７５ａが、貯留区分部６３ｂから落下する５０円の正常硬貨を返却区分部７５ｂが、貯留区分部６３ｃから落下する５円の正常硬貨を返却区分部７５ｃが、貯留区分部６３ｄから落下する１００円の正常硬貨を返却区分部７５ｄが、貯留区分部６３ｅから落下する１０円の正常硬貨を返却区分部７５ｅが、貯留区分部６３ｆから落下する５００円の正常硬貨を返却区分部７５ｆが、それぞれ収納する。その後、制御部１４１は、図３に示すように、底板６５及び入金貯留部本体６４を装填位置に戻してロック機構５０１によって入金貯留部本体６４と底板６５とをロックすると共に、開閉駆動機構３３２により、収納部側開閉体３３１を閉塞位置に戻して収納部側開口部３２５ａ〜３２５ｆを閉塞して、返却処理を終了する。この状態で、硬貨返却部７５は、図２に示すベース筐体４３から取り外されて、収納していた硬貨が外部に取り出される。
【０１０５】
以上により、カセット収納部３１１の収納部側開口部３２５ａ〜３２５ｆは、入金処理を行う前は閉塞位置にある収納部側開閉体３３１によって閉塞され、図示略の操作部で入金操作が行われると、収納部側開閉体３３１が開放位置に位置することによって開放され、入金処理後の、入金収納処理或いは入金返却処理が完了すると、閉塞位置に戻された収納部側開閉体３３１によって閉塞される。
【０１０６】
より具体的には、収納部側開口部３２５ａ〜３２５ｆは、操作部で入金操作が行われた直後に開放され、入金処理後の、入金収納処理或いは入金返却処理が全て完了した後に閉塞される。この場合、入金貯留部６２から収納カセット７１ａ〜７１ｆへの硬貨収納時だけではなく、入金貯留部６２から出金ホッパ８１ａ〜８１ｆへの硬貨装填時にも、収納部側開口部３２５ａ〜３２５ｆは開放されている。
【０１０７】
なお、収納部側開口部３２５ａ〜３２５ｆを、入金操作後に、入金された硬貨が実際に入金貯留部６２から収納カセット７１ａ〜７１ｆへ収納される直前（上記した収納部収納処理の直前）に開放し、硬貨が収納カセット７１ａ〜７１ｆに収納された直後に閉塞するようにしても良い。この場合、入金貯留部６２から出金ホッパ８１ａ〜８１ｆへの硬貨装填時には、収納部側開口部３２５ａ〜３２５ｆは閉塞されている。
【０１０８】
ここで、収納カセット７１ａ〜７１ｆを装置本体４１から取り出す際には、まず、キー３０１で収納引出部７２のベース筐体４３へのロックを解除して、若しくは、図示しない電動ロック機構５０１を作動することにより収納引出部７２のベース筐体４３へのロックを解除して、収納引出部７２をベース筐体４３から引き出す。このとき、基本位置にある収納部側開閉体３３１は収納部側開口部３２５ａ〜３２５ｆを閉塞した状態にある。
【０１０９】
この状態で、操作者が、例えば、収納カセット７１ａを装置本体４１から取り出す場合は、収納カセット７１ａのカセット側開閉体３４３の把持板部３９２を把持し回動部材３８３を持ち上げて、回動板部３９１をスライド板部３８５と同一平面をなす状態として、回動板部３９１を一対のガイド溝３６１に挿入する。すると、回動板部３９１とスライド板部３８５とが同一平面をなす状態のまま、カセット側開閉体３４３が対向壁部３５２側に移動し、対向壁部３５２に当接する。すると、カセット側開閉体３４３は、係合凸部３８７が開閉体ロック部材３６５の係合爪部３６７に係合し、その後、押圧板部３８６がカセットロック部材４１１による収納カセット７１ａのセット位置でのロックを解除する。
【０１１０】
このように、カセット側開閉体３４３が閉塞位置に位置すると、収納カセット７１ａは、カセット収納部３１１に対するロックが解除されて引き出し可能となり、操作者は、取り出し位置まで引き出した収納カセット７１ａをカセット収納部３１１から持ち上げて取り出す。
【０１１１】
カセット収納部３１１から取り出された収納カセット７１ａは、別体のキー部材３７１がキーシリンダ３７２に差し込まれて回動させられると、図示略の開閉ロック解除機構が開閉体ロック部材３６５を図示略のスプリングに付勢力に抗して下方に回動させることになり、カセット側開閉体３４３が硬貨収納体３４２に対しスライド可能となる。この状態で、操作者が、把持板部３９２を把持してカセット側開閉体３４３を硬貨収納体３４２に対し対向壁部３５２とは反対側にスライドさせると、カセット側開口部３４１を開放する開放状態となる。この開放状態では、カセット側開口部３４１を介して内部の硬貨を回収することなどができる。
【０１１２】
そして、カセット側開閉体３４３を開放状態とした収納カセット７１ａが取り出し位置に載置されガイドレール３２２ａで案内されてセット位置までカセット収納部３１１内に押し込まれると、収納カセット７１ａの対向壁部３５２が、カセットロック部材４１１に係合する。これにより、収納カセット７１ａがセット位置にロックされる。
【０１１３】
収納カセット７１ｂ〜７１ｆについても、同様にして、装置本体４１から取り出すことができ、装置本体４１にセットすることができる。
【０１１４】
収納カセット７１ａ〜７１ｆのうちの必要なものを収納引出部７２から取り出し、その後、収納引出部７２に戻した後、収納引出部７２をベース筐体４３に押し込む。その間、収納部側開閉体３３１は収納部側開口部３２５ａ〜３２５ｆを閉塞した状態にある。
【０１１５】
以上により、カセット収納部３１１には、カセット側開閉体３４３によってカセット側開口部３４１が開放された状態の収納カセット７１ａ〜７１ｆが収納される。また、カセット収納部３１１を含む収納引出部７２がベース筐体４３から引き出された状態では、収納部側開閉体３３１によって収納部側開口部３２５ａ〜３２５ｆが閉塞されている。言い換えれば、カセット収納部３１１を含む収納引出部７２が、ベース筐体４３に押し込まれて押し込み位置にある全閉状態では、収納部側開閉体３３１が収納部側開口部３２５ａ〜３２５ｆを開いており、ベース筐体４３から引き出された引き出し位置を含む開状態（全閉以外の状態）では、収納部側開閉体３３１が収納部側開口部３２５ａ〜３２５ｆを閉じている。
【０１１６】
「自動包装処理」
制御部１４１は、上記した硬貨収納繰出部等収納処理の終了後、硬貨収納繰出部８１の出金ホッパ８１ａ〜８１ｆのそれぞれの硬貨量つまり金種別の硬貨量を、金種別に設定されたニアフル値と、金種別に比較する。出金ホッパ８１ａ〜８１ｆの何れかの硬貨量が、対応するニアフル値を超えると、制御部１４１は、出金ホッパ８１ａ〜８１ｆのニアフル値を超えたものから硬貨を棒金処理部１２に向け繰り出す繰出処理を行って、出金ホッパ８１ａ〜８１ｆのニアフル値を超えたものに収納している硬貨の硬貨量を、ニアフル値よりも所定値を超えて下回る量まで減らす。このとき、計数繰出部９１ａ〜９１ｆの対応するもので包装単位枚数或いはその倍数分の枚数を繰り出すようにする。そして、硬貨収納繰出部８１から繰り出された硬貨を棒金処理部１２で包装する。
【０１１７】
例えば、硬貨収納繰出部等収納処理の終了後、出金ホッパ８１ａに収納されている１円の正常硬貨の硬貨量が、１円の正常硬貨について設定されているニアフル値を超えると、繰出側搬送路１１１を、出金ホッパ８１ａから繰り出された硬貨を小径側中間ゲート１３１に向けて搬送する状態とし、小径側中間ゲート１３１を、繰出側搬送路１１１で搬送されてきた硬貨を棒金処理部１２側に繰り出す状態として、出金ホッパ８１ａから硬貨をその計数繰出部９１ａで包装単位枚数或いはその倍数分の枚数だけ繰り出し、出金ホッパ８１ａに収納されている１円の正常硬貨の硬貨量をニアフル値よりも所定値を超えて下回らせる。そして、出金ホッパ８１ａから繰り出された硬貨を棒金処理部１２に搬送してその包装部２０１で包装する。出金ホッパ８１ｂ，出金ホッパ８１ｃについても同様にする。
【０１１８】
また、例えば、硬貨収納繰出部等収納処理の終了後、出金ホッパ８１ｄに収納されている１００円の正常硬貨の硬貨量が、１００円の正常硬貨について設定されているニアフル値を超えると、繰出側搬送路１１１を、出金ホッパ８１ｄから繰り出された硬貨を大径側中間ゲート１３２に向けて搬送する状態とし、大径側中間ゲート１３２を、繰出側搬送路１１１で搬送されてきた硬貨を棒金処理部１２側に繰り出す状態として、出金ホッパ８１ｄから硬貨をその計数繰出部９１ｄで包装単位枚数或いはその倍数分の枚数だけ繰り出し、出金ホッパ８１ｄに収納されている１００円の正常硬貨の硬貨量をニアフル値よりも所定値を超えて下回らせる。そして、出金ホッパ８１ｄから繰り出された硬貨を棒金処理部１２に搬送してその包装部２０１で包装する。出金ホッパ８１ｅ，出金ホッパ８１ｆについても同様にする。
【０１１９】
包装部２０１では、硬貨処理部１１から受け入れた硬貨を硬貨識別計数部２１１で計数して包装単位枚数（５０枚）の硬貨を硬貨集積包装部２１２に繰り出し、硬貨集積包装部２１２が、このように繰り出された包装単位枚数の硬貨を集積させて、その周囲に包装紙を巻き回し包装紙を両側を加締めて棒金とする。すなわち、包装部２０１は、硬貨収納繰出部８１から繰出処理により繰り出された硬貨を集積させて包装する。制御部１４１は、硬貨収納繰出部８１の出金ホッパ８１ａ〜８１ｆの何れか一つでも収納している硬貨量が所定量を超えると、所定量を超えた出金ホッパから硬貨を繰り出す繰出処理を行うと共に、この繰出処理で繰り出された硬貨を包装部２０１で包装する。
【０１２０】
そして、このように硬貨集積包装部２１２で作製された棒金を、棒金振分搬送部２１３、棒金出金部２０３の棒金出金リフト２２１、棒金収納部２０２の棒金収納搬送部２３１及び棒金収納リフト２３２で搬送して棒金収納本体部２３３に金種別に収納させる。ここで、棒金収納本体部２３３の対応金種の棒金が満杯である場合、硬貨集積包装部２１２で作製された棒金を、棒金振分搬送部２１３及び棒金出金リフト２２１で棒金一括収納部２２４に収納する。
【０１２１】
硬貨収納繰出部等収納処理の終了後、出金ホッパ８１ａ〜８１ｆのうちの複数の出金ホッパにおいて、収納している硬貨の硬貨量がニアフル値を超えている場合、制御部１４１は、何れか一金種について繰出処理を開始したら、繰り出した全ての硬貨が、硬貨集積包装部２１２に送り込まれて包装されるまで待機して、次の金種について繰出処理を開始し、この金種について繰り出した全ての硬貨が、硬貨集積包装部２１２に送り込まれて包装されたら、次の金種について繰出処理を開始するということを繰り返して、一金種ずつ包装する。その場合、例えば、出金ホッパ８１ａ〜８１ｆのうち、硬貨量が多いものから順に繰出処理を行う。逆に、出金ホッパ８１ａ〜８１ｆのうち、硬貨量が少ないものから順に繰出処理を行っても良い。
【０１２２】
そして、硬貨収納繰出部８１の全ての出金ホッパ８１ａ〜８１ｆの硬貨量がニアフル値を所定値を超えて下回る状態となり、硬貨収納繰出部８１から繰り出された硬貨が全て棒金となって棒金収納本体部２３３或いは棒金一括収納部２２４に収納されると、制御部１４１は、自動包装処理を終了する。
【０１２３】
自動包装処理としては、上記のように、出金ホッパ８１ａ〜８１ｆの硬貨量が包装基準値よりも大きくなった場合に行われる処理以外に、棒金処理部１２の棒金の収納量（在高）に応じて、出金ホッパ８１ａ〜８１ｆから硬貨を繰り出し棒金処理部１２に搬送して棒金を作製する処理もある。この場合、出金ホッパ８１ａ〜８１ｆの硬貨量が、運用上必要な最小値である所定の基準値を下回らない範囲で、自動的に、出金ホッパ８１ａ〜８１ｆから硬貨を繰り出し棒金処理部１２に搬送して棒金を作製する。例えば、棒金処理部１２における棒金の金種別の収納量（在高）の変化から、棒金での出金が多い金種を判別し、この金種の硬貨を硬貨処理部１１から棒金処理部１２に繰り出して棒金を作製する。
【０１２４】
ここで、硬貨処理装置１０は、自動包装処理の実行中であって、硬貨収納繰出部８１から硬貨を繰り出す繰出処理中であっても、これと並行して、上記した入金処理及び入金収納処理が可能となっている。そして、自動包装処理において硬貨収納繰出部８１から硬貨を繰り出す繰出処理中、制御部１４１は、上記したように硬貨収納繰出部８１へ硬貨を収納する硬貨収納繰出部等収納処理を禁止する状態になっていることから、入金貯留部６２の硬貨を硬貨収納部７１に収納する収納部収納処理を行う。すなわち、制御部１４１は、自動包装処理において硬貨収納繰出部８１から硬貨を繰り出す繰出処理と、入金収納処理において硬貨収納部７１に硬貨を収納する収納部収納処理とを並行して行う。他方、硬貨収納繰出部８１から硬貨を繰り出す繰出処理中にない場合、制御部１４１は、上記したように硬貨収納繰出部８１へ硬貨を収納する硬貨収納繰出部等収納処理を許容する状態になっていることから、自動包装処理中でない場合、入金収納処理において入金貯留部６２の硬貨を硬貨収納繰出部８１に収納する硬貨収納繰出部等収納処理を行う。すなわち、制御部１４１は、自動包装処理において硬貨収納繰出部８１から硬貨を繰り出す繰出処理時には、入金収納処理において、この繰出処理と並行して入金貯留部６２によって硬貨を硬貨収納部７１に収納する収納部収納処理を行う一方、この繰出処理時以外は、入金貯留部６２によって硬貨を硬貨収納繰出部８１に収納する硬貨収納繰出部等収納処理を行う。
【０１２５】
なお、自動包装処理において硬貨収納繰出部８１から硬貨を繰り出す繰出処理中、入金貯留部６２の硬貨を硬貨収納部７１に収納する収納部収納処理を行おうとした際に、硬貨収納部７１の収納カセット７１ａ〜７１ｇの何れかにおいて硬貨量が最大収納量に達した満杯状態にある場合、制御部１４１は、自動包装処理の終了を待って、入金貯留部６２の硬貨を硬貨収納繰出部８１に収納する硬貨収納繰出部等収納処理を行う。また、硬貨収納部７１の収納カセット７１ａ〜７１ｇの何れかにおいて硬貨量が最大収納量に達した満杯状態にあり、且つ、硬貨収納繰出部８１の出金ホッパ８１ａ〜８１ｆの何れかにおいて硬貨量が最大収納量に達した満杯状態にある場合、制御部１４１は、図示略の操作部への入金処理の選択操作を受け付けない状態となる。
【０１２６】
「硬貨出金処理」
図示略の操作部に出金させる硬貨の金種別の枚数を含む出金処理操作が入力されると、制御部１４１は、硬貨収納繰出部８１の出金ホッパ８１ａ〜８１ｆの対応する金種のものから硬貨を繰り出す繰出処理を行って硬貨出金部１０２に搬送する。
【０１２７】
例えば、出金させる硬貨に１円の正常硬貨が含まれている場合、出金ホッパ８１ａから硬貨をその計数繰出部９１ａで出金枚数だけ繰り出し、繰出側搬送路１１１及び出金側搬送路１１２で搬送して、出金識別計数部１１４で識別しつつ計数して、硬貨出金部１０２に搬送する。出金ホッパ８１ｂ〜８１ｆについても同様にする。そして、出金させる全金種の硬貨をそれぞれの設定枚数繰り出すと、制御部１４１は、硬貨出金処理を終了する。その後、硬貨出金部１０２が、装置本体４１の収納引出部７２から取り外されて、収納していた硬貨が外部に取り出される。すなわち、硬貨出金部１０２は、硬貨収納繰出部８１の繰出処理により繰り出された硬貨を外部に取り出し可能に出金する。ここで、硬貨出金処理において、出金識別計数部１１４で、出金させる硬貨に含まれない金種の硬貨や、出金枚数を超える枚数の硬貨が検出された場合、制御部１４１は、硬貨出金部１０２に貯留していた全ての硬貨を、出金リジェクト案内部１０３で出金リジェクト部１０４に収納して、硬貨出金処理をやり直す。
【０１２８】
硬貨処理装置１０は、この硬貨出金処理の実行中であって、硬貨収納繰出部８１から硬貨を繰り出す繰出処理中であっても、これと並行して、上記した入金処理及び入金収納処理が可能となっている。そして、硬貨出金処理において硬貨収納繰出部８１から硬貨を繰り出す繰出処理中、制御部１４１は、上記したように硬貨収納繰出部８１へ硬貨を収納する硬貨収納繰出部等収納処理を禁止する状態になっていることから、入金貯留部６２の硬貨を硬貨収納部７１に収納する収納部収納処理を行う。すなわち、制御部１４１は、硬貨出金処理において硬貨収納繰出部８１から硬貨を繰り出す繰出処理と、入金収納処理において硬貨収納部７１に硬貨を収納する収納部収納処理とを並行して行う。他方、硬貨収納繰出部８１から硬貨を繰り出す繰出処理中にない場合、制御部１４１は、上記したように硬貨収納繰出部８１へ硬貨を収納する硬貨収納繰出部等収納処理を許容する状態になっていることから、硬貨出金処理中でない場合、入金収納処理において入金貯留部６２の硬貨を硬貨収納繰出部８１に収納する硬貨収納繰出部等収納処理を行う。すなわち、制御部１４１は、硬貨出金処理において硬貨収納繰出部８１から硬貨を繰り出す繰出処理時には、入金収納処理において、この繰出処理と並行して入金貯留部６２によって硬貨を硬貨収納部７１に収納する収納部収納処理を行う一方、この繰出処理時以外は、入金貯留部６２によって硬貨を硬貨収納繰出部８１に収納する硬貨収納繰出部等収納処理を行う。
【０１２９】
なお、硬貨出金処理において硬貨収納繰出部８１から硬貨を繰り出す繰出処理中、入金貯留部６２の硬貨を硬貨収納部７１に収納する収納部収納処理を行おうとした際に、硬貨収納部７１の収納カセット７１ａ〜７１ｇの何れかにおいて硬貨量が最大収納量に達した満杯状態にある場合、制御部１４１は、硬貨出金処理の終了を待って、入金貯留部６２の硬貨を硬貨収納繰出部８１に収納する硬貨収納繰出部等収納処理を行う。また、硬貨収納部７１の収納カセット７１ａ〜７１ｇの何れかにおいて硬貨量が最大収納量に達した満杯状態にあり、且つ、硬貨収納繰出部８１の出金ホッパ８１ａ〜８１ｆの何れかにおいて硬貨量が最大収納量に達した満杯状態にある場合、制御部１４１は、図示略の操作部への入金処理の選択操作を受け付けない状態となる。
【０１３０】
以上に述べた硬貨処理装置１０によれば、収納カセット７１ａ〜７１ｆが、装置本体４１のカセット収納部３１１にセットされた状態で、装置本体４１からカセット収納部３１１に設けられた収納部側開口部３２５ａ〜３２５ｆを介して放出される硬貨を、カセット側開口部３４１を介して受け入れて収納することになるが、カセット収納部３１１は、収納部側開口部３２５ａ〜３２５ｆを開閉する収納部側開閉体３３１を備えている。このため、収納部側開閉体３３１で収納部側開口部３２５ａ〜３２５ｆを閉塞することができる。これにより、収納カセット７１ａ〜７１ｆ内への異物の混入を抑制することができると共に、収納カセット７１ａ〜７１ｆのセキュリティ性を向上することができる。
【０１３１】
また、カセット収納部３１１を含む収納引出部７２が、ベース筐体４３に押し込まれた状態にあるとき、収納部側開閉体３３１が収納部側開口部３２５ａ〜３２５ｆを開いており、ベース筐体４３から引き出された状態にあるとき、収納部側開閉体３３１が収納部側開口部３２５ａ〜３２５ｆを閉じている。このため、収納カセット７１ａ〜７１ｆ内への異物の混入を更に抑制することができると共に、収納カセット７１ａ〜７１ｆのセキュリティ性を更に向上することができる。つまり、カセット収納部３１１を含む収納引出部７２をベース筐体４３から引き出す際には、収納カセット７１ａ〜７１ｆがセットされたカセット収納部３１１の収納部側開口部３２５ａ〜３２５ｆを収納部側開閉体３３１によって閉塞していることになり、収納カセット７１ａ〜７１ｆ内に異物が侵入することを防止できる。その上、収納カセット７１ａ〜７１ｆ内の硬貨への接触を防止できるので、セキュリティ性の向上を図ることができる。
【０１３２】
また、収納カセット７１ａ〜７１ｆが、それぞれのカセット側開口部３４１をカセット側開閉体３４３で閉じることができるため、収納カセット７１ａ〜７１ｆ内への異物の混入を更に抑制することができると共に、収納カセット７１ａ〜７１ｆのセキュリティ性を更に向上することができる。しかも、カセット収納部３１１に収納カセット７１ａ〜７１ｆをロックするカセットロック機構４１５は、カセット側開閉体３４３の閉作動でロックが解除されるため、収納カセット７１ａ〜７１ｆのカセット収納部３１１からの取り出し時には、カセット側開閉体３４３が閉じられていることになり、よって、収納カセット７１ａ〜７１ｆ内への異物の混入を更に抑制することができると共に、収納カセット７１ａ〜７１ｆのセキュリティ性を更に向上することができる。
【０１３３】
また、収納カセット７１ａ〜７１ｆは、開閉体ロック機構４０１がカセット側開閉体３４３の閉作動でカセット側開閉体３４３を閉状態でロックするため、収納カセット７１ａ〜７１ｆのカセット収納部３１１からの取り出し時には、カセット側開閉体３４３が閉じられた閉状態でロックされていることになり、よって、収納カセット７１ａ〜７１ｆ内への異物の混入を更に抑制することができると共に、収納カセット７１ａ〜７１ｆのセキュリティ性を更に向上することができる。
【０１３４】
また、硬貨を収納すると共に収納している硬貨を繰り出す硬貨収納繰出部８１とは別に、硬貨を収納する硬貨収納部７１を設けており、制御部１４１は、硬貨収納繰出部８１から硬貨を繰り出す繰出処理と硬貨収納部７１に硬貨を収納する収納処理とを並行して行う。このように繰出処理と収納処理とを並行して行うため、処理時間を短縮することができる。しかも、繰出処理と収納処理とを並行して行っても、硬貨を繰り出す硬貨収納繰出部８１とは別の硬貨収納部７１に硬貨を収納することから、繰り出しジャムの発生を抑制することができる。
【０１３５】
また、制御部１４１は、硬貨収納繰出部８１から硬貨を繰り出す繰出処理時には、この繰出処理と並行して入金貯留部６２によって硬貨を硬貨収納部７１に収納する収納部収納処理を行うことになる。一方、制御部１４１は、硬貨収納繰出部８１から硬貨を繰り出す繰出処理時以外は、入金貯留部６２によって硬貨を硬貨収納繰出部８１に収納する。これにより、硬貨収納繰出部８１の硬貨の収納量を増やすことができるため、収納量が不足して繰出処理が行えない状態となることを抑制できる。
【０１３６】
また、入金貯留部６２は、入金された硬貨を金種別の貯留区分部６３ａ〜６３ｆに金種別に分けて貯留すると共に、貯留している硬貨を金種別に分けた状態のまま硬貨収納繰出部８１の金種別の出金ホッパ８１ａ〜８１ｆに収納可能であるため、硬貨収納繰出部８１から複数金種の硬貨を繰り出すことができる。
【０１３７】
また、入金貯留部６２の金種別の貯留区分部６３ａ〜６３ｆ及び硬貨収納繰出部８１の金種別の出金ホッパ８１ａ〜８１ｆの硬貨量の金種別の合計値が、何れか一金種でも設定値を超えると、制御部１４１は、入金貯留部６２に貯留している硬貨を硬貨収納部７１に収納するため、出金ホッパ８１ａ〜８１ｆの硬貨量を設定値以下に保つことができ、出金ホッパ内の硬貨の精査処理を実行する場合、短時間で精査処理を終了することができる。
【０１３８】
また、制御部１４１は、硬貨収納繰出部８１の硬貨量が所定量を超えると、硬貨を硬貨収納繰出部８１から繰り出して包装部２０１で包装することになるが、このような包装中の状態にあっても、収納処理を行うことができる。
【０１３９】
また、硬貨収納繰出部８１から繰出処理により繰り出された硬貨を硬貨出金部１０２が外部に取り出し可能に出金することになるが、このような出金中の状態にあっても、収納処理を行うことができる。
【０１４０】
以上の実施形態を以下の変形例のように変更することができる。
【０１４１】
［変形例１］
収納カセット７１ａ〜７１ｆのうちの必要なものを、収納引出部７２から取り外し、その後、カセット側開閉体３４３を開放位置に位置させて収納引出部７２に戻した後、上記と同様に、収納引出部７２をベース筐体４３に押し込む。この際、制御部１４１は、図示略のセンサによって、収納引出部７２が押し込み位置に位置したことを検知すると、それまで、閉塞位置にあって収納部側開口部３２５ａ〜３２５ｆを閉塞していた収納部側開閉体３３１を、開閉駆動機構３３２によって開放位置に位置させて、収納部側開口部３２５ａ〜３２５ｆを開放するようにしても良い。
【０１４２】
また、その後、制御部１４１は、図示略の操作部に収納カセット７１ａ〜７１ｆの装置本体４１からの取り出し操作（収納カセット７１ａ〜７１ｆの回収操作）が入力される、或いは、図示略のセンサによって、キー３０１で収納引出部７２のベース筐体４３へのロックが解除されたことを検知する、或いは、図示略のセンサによって、収納引出部７２のベース筐体４３からの引き出しを検知すると、それまで開放位置にあって収納部側開口部３２５ａ〜３２５ｆを開放していた収納部側開閉体３３１を、開閉駆動機構３３２によって閉塞位置に位置させて、収納部側開口部３２５ａ〜３２５ｆを閉塞するようにしても良い。
【０１４３】
［変形例２］
制御部１４１は、硬貨処理部１１又は硬貨処理装置１０において電源ＯＦＦ処理が行われると、それまで開放位置にあって収納部側開口部３２５ａ〜３２５ｆを開放していた収納部側開閉体３３１を、開閉駆動機構３３２によって閉塞位置に位置させて、収納部側開口部３２５ａ〜３２５ｆを閉塞するようにしても良い。これにより、電源ＯＦＦ時のセキュリティを確保できる。
【０１４４】
［変形例３］
硬貨処理装置１０は、硬貨処理部１１と棒金処理部１２とを備えているが、硬貨処理部１１のみを備えるものであっても良い。更に、硬貨処理部１１は、入金及び出金を行うものであるが、入金のみを行うものであっても良い。
【０１４５】
［変形例４］
硬貨処理装置１０は、カセット収納部３１１の左側面部に着脱開口部３１０を有し、収納カセット７１ａ〜７１ｆをカセット収納部３１１の左側から着脱するようにしても良い。
【０１４６】
［変形例５］
収納部側開閉体３３１は１枚の板部材で構成されているが、各収納部側開口部３２５ａ〜３２５ｆにそれぞれ収納部側開閉体及び開閉駆動機構を設けて、収納部側開口部３２５ａ〜３２５ｆを個別に開閉できるようにしても良い。更に、収納部側開口部３２５ａ〜３２５ｆは、収納カセット７１ａ〜７１ｆに対応するように６つ形成されているが、１つの開口部で構成されるようにしても良い。
【符号の説明】
【０１４７】
１０…硬貨処理装置、４１…装置本体、４３…ベース筐体、７１ａ〜７１ｆ…収納カセット（硬貨カセット）、３１１…カセット収納部、３２５ａ〜３２５ｆ…収納部側開口部、３３１…収納部側開閉体、３４１…カセット側開口部、３４２…硬貨収納体、３４３…カセット側開閉体、４０１…開閉体ロック機構、４１５…カセットロック機構。
【図１】
2018081355.tif 000003
【図２】
2018081355.tif 000004
【図３】
2018081355.tif 000005
【図４】
2018081355.tif 000006
【図５】
2018081355.tif 000007
【図６】
2018081355.tif 000008
【図７】
2018081355.tif 000009
【図８】
2018081355.tif 000010
【図９】
2018081355.tif 000011
【図１０】
2018081355.tif 000012
【図１１】
2018081355.tif 000013
【図１２】
2018081355.tif 000014
【図１３】
2018081355.tif 000015
【図１４】
2018081355.tif 000016
【図１５】
2018081355.tif 000017
【図１６】
2018081355.tif 000018